(57)【要約】【課題】本発明は、画像を写真として容易に利用させ得るようにする。【解決手段】本発明は、画像提供装置２が取得先に提供する写真画像データＤ１を特定する提供画像特定情報をコード化して生成した画像特定用２次元コード画像を提供先に相当する携帯電話機７Ａ乃至７Ｃに送信した後、画像取得印刷装置６Ａ乃至６Ｃから携帯電話機７Ａ乃至７Ｃで表示された画像特定用２次元コード画像を撮像して解読した結果送信された提供画像特定情報で特定される写真画像データＤ１を提供先に代えて画像取得印刷装置６Ａ乃至６Ｃに送信し、画像取得印刷装置６Ａ乃至６Ｃがその写真画像データＤ１を取得して写真画像を写真として印刷することにより、印刷機能を有する画像取得印刷装置６Ａ乃至６Ｃで提供先に代わって写真画像データＤ１を容易に取得し、かつ写真画像を写真として容易に印刷することができ、かくして画像を写真として容易に利用させ得ることができる。【選択図】        図１
2004242164.tif 000002
【特許請求の範囲】
【請求項１】
画像データを提供する画像提供装置と、上記画像データの提供先に相当する携帯端末装置と、上記提供先に代わって上記画像データを取得して当該画像データに基づく画像を写真として印刷する画像取得印刷装置とをネットワークを介して接続して構築された画像取得印刷システムであって、
上記画像提供装置は、
上記画像データを記憶するデータ記憶手段と、
上記提供先への提供用に選択された上記画像データを特定する提供画像特定情報をコード化して画像特定用２次元コード画像を生成する２次元コード画像生成手段と、
上記２次元コード画像生成手段により生成された上記画像特定用２次元コード画像を上記ネットワークを介して上記携帯端末装置に送信するコード送信手段と、
上記画像取得印刷装置から上記携帯端末装置に送信した上記画像特定用２次元コード画像が解読された結果、上記ネットワークを介して送信された上記提供画像特定情報を受信する情報受信手段と、
上記情報受信手段により受信された上記提供画像特定情報によって特定される上記画像データを上記データ記憶手段から読み出し、当該読み出した上記画像データを上記ネットワークを介して上記画像取得印刷装置に送信するデータ送信手段と
を具え、
上記携帯端末装置は、
上記画像提供装置から上記ネットワークを介して送信された上記画像特定用２次元コード画像を受信するコード受信手段と、
上記コード受信手段により受信された上記画像特定用２次元コード画像を記憶するコード記憶手段と、
上記コード記憶手段に記憶された上記画像特定用２次元コード画像の表示命令を入力するための命令入力手段と、
上記命令入力手段を介して入力された上記表示命令に応じて、上記コード記憶手段から上記画像特定用２次元コード画像を読み出して表示する表示手段と
を具え、
上記画像取得印刷装置は、
上記携帯端末装置の上記表示手段に表示された上記画像特定用２次元コード画像を撮像する撮像手段と、
上記撮像手段により撮像された上記画像特定用２次元コード画像を解読して上記提供画像特定情報を検出する情報検出手段と、
上記情報検出手段により検出された上記提供画像特定情報を上記ネットワークを介して上記画像提供装置に送信する情報送信手段と、
上記画像提供装置に上記提供画像特定情報を送信した結果、当該画像提供装置から上記ネットワークを介して送信された上記画像データを受信するデータ受信手段と、
上記データ受信手段により受信された上記画像データに基づく上記画像を上記写真として印刷する印刷手段と
を具えることを特徴とする画像取得印刷システム。
【請求項２】
上記画像提供装置の上記データ記憶手段は、
複数の上記画像データを記憶し、当該記憶した複数の上記画像データをそれぞれ上記提供先毎及び当該提供先の所定数毎にデータの階層的な管理単位であるフォルダを作成して階層的に管理し、
上記画像提供装置の上記２次元コード画像生成手段は、
上記提供先への提供用に選択された上記画像データを当該提供先及び他の上記提供先との所定数毎に階層的に管理している上記フォルダをそれぞれ特定する上記提供画像特定情報をコード化して複数の上記画像特定用２次元コード画像を作成し、
上記画像提供装置の上記コード送信手段は、
上記２次元コード画像生成手段により生成された上記複数の上記画像特定用２次元コード画像を上記ネットワークを介して上記携帯端末装置に送信する
ことを特徴とする請求項１に記載の画像取得印刷システム。
【請求項３】
上記画像提供装置の上記データ記憶手段は、
複数の上記画像データを記憶し、当該記憶した複数の上記画像データをデータの階層的な管理単位であるフォルダを作成して一括管理し、
上記画像提供装置の上記２次元コード画像生成手段は、
上記提供先への提供用に選択された上記画像データと、当該提供用に選択された上記画像データを他の上記画像データと共に一括管理している上記フォルダとをそれぞれ特定する上記提供画像特定情報をコード化して複数の上記画像特定用２次元コード画像を作成し、
上記画像提供装置の上記コード送信手段は、
上記２次元コード画像生成手段により生成された上記複数の上記画像特定用２次元コード画像を上記ネットワークを介して上記携帯端末装置に送信する
ことを特徴とする請求項１に記載の画像取得印刷システム。
【請求項４】
画像データの提供先に相当する携帯端末装置と、上記提供先に代わって上記画像データを取得して当該画像データに基づく画像を写真として印刷する画像取得印刷装置とにネットワークを介して接続された画像提供装置であって、
上記画像データを記憶するデータ記憶手段と、
上記提供先への提供用に選択された上記画像データを特定する提供画像特定情報をコード化して画像特定用２次元コード画像を生成する２次元コード画像生成手段と、
上記２次元コード画像生成手段により生成された上記画像特定用２次元コード画像を上記ネットワークを介して上記携帯端末装置に送信するコード送信手段と、
上記画像取得印刷装置から上記携帯端末装置の表示手段に表示された上記画像特定用２次元コードが撮像されて解読された結果、上記ネットワークを介して送信された上記提供画像特定情報を受信する情報受信手段と、
上記情報受信手段により受信された上記提供画像特定情報によって特定される上記画像データを上記データ記憶手段から読み出し、当該読み出した上記画像データを上記ネットワークを介して上記画像取得印刷装置に送信するデータ送信手段と
を具えることを特徴とする画像提供装置。
【請求項５】
上記データ記憶手段は、
複数の上記画像データを記憶し、当該記憶した複数の上記画像データをそれぞれ上記提供先毎及び当該提供先の所定数毎にデータの階層的な管理単位であるフォルダを作成して階層的に管理し、
上記２次元コード画像生成手段は、
上記提供先への提供用に選択された上記画像データを当該提供先及び他の上記提供先との所定数毎に階層的に管理している上記フォルダをそれぞれ特定する上記提供画像特定情報をコード化して複数の上記画像特定用２次元コード画像を作成し、
上記コード送信手段は、
上記２次元コード画像生成手段により生成された上記複数の上記画像特定用２次元コード画像を上記ネットワークを介して上記携帯端末装置に送信する
ことを特徴とする請求項４に記載の画像提供装置。
【請求項６】
上記データ記憶手段は、
複数の上記画像データを記憶し、当該記憶した複数の上記画像データをデータの階層的な管理単位であるフォルダを作成して一括管理し、
上記２次元コード画像生成手段は、
上記提供先への提供用に選択された上記画像データと、当該提供用に選択された上記画像データを他の上記画像データと共に一括管理している上記フォルダとをそれぞれ特定する上記提供画像特定情報をコード化して複数の上記画像特定用２次元コード画像を作成し、
上記コード送信手段は、
上記２次元コード画像生成手段により生成された上記複数の上記画像特定用２次元コード画像を上記ネットワークを介して上記携帯端末装置に送信する
ことを特徴とする請求項４に記載の画像提供装置。
【請求項７】
画像データを提供する画像提供装置にネットワークを介して接続され、当該画像データの提供先に相当する携帯端末装置であって、
上記画像提供装置から上記提供先への提供用に選択された上記画像データを特定する提供画像特定情報をコード化して生成された画像特定用２次元コード画像が上記ネットワークを介して送信されると、当該送信された上記画像特定用２次元コード画像を受信するコード受信手段と、
上記コード受信手段により受信された上記画像特定用２次元コード画像を記憶するコード記憶手段と、
上記画像提供装置の提供する上記画像データを上記提供先に代わって取得して当該画像データに基づく画像を写真として印刷する画像取得印刷装置の撮像手段に上記画像特定用２次元コード画像を提示する際に、上記コード記憶手段に記憶された上記画像特定用２次元コード画像の表示命令を入力するための命令入力手段と、
上記画像提供装置から上記提供先への提供用に選択された上記画像データを上記画像取得印刷装置によって取得させるために用いる上記提供画像特定情報を当該画像取得印刷装置に上記画像特定用２次元コードを撮像させて解読させることにより検出させるために、上記命令入力手段を介して入力された上記表示命令に応じて、上記コード記憶手段から上記画像特定用２次元コード画像を読み出して表示する表示手段と
を具えることを特徴とする携帯端末装置。
【請求項８】
上記コード受信手段は、
上記画像提供装置から上記提供先への提供用に選択された上記画像データを当該提供先及び他の上記提供先との所定数毎に階層的に管理しているデータの管理単位であるフォルダをそれぞれ特定する上記提供画像特定情報をコード化して生成された複数の上記画像特定用２次元コード画像が上記ネットワークを介して送信されると、当該送信された複数の上記画像特定用２次元コード画像を受信し、
上記表示手段は、
上記提供先への提供用に選択された上記画像データを上記画像取得印刷装置に取得させるために、上記命令入力手段を介して入力される表示命令に応じて、上記コード記憶手段から複数の上記画像特定用２次元コード画像を順次読み出して表示する
ことを特徴とする請求項７に記載の携帯端末装置。
【請求項９】
上記コード受信手段は、
上記画像提供装置から上記提供先への提供用に選択された上記画像データと、当該提供用に選択された上記画像データを他の上記画像データと共に一括管理しているデータの階層的な管理単位であるフォルダとをそれぞれ特定する上記提供画像特定情報をコード化して生成された複数の上記画像特定用２次元コード画像が上記ネットワークを介して送信されると、当該送信された複数の上記画像特定用２次元コード画像を受信し、
上記表示手段は、
上記提供先への提供用に選択された上記画像データを上記画像取得印刷装置に取得させるために、上記命令入力手段を介して入力された上記表示命令に応じて、上記コード記憶手段から複数の上記画像特定用２次元コード画像を順次読み出して表示する
ことを特徴とする請求項７に記載の携帯端末装置。
【請求項１０】
画像データを提供する画像提供装置からネットワークを介して送信された上記画像データを、当該画像データの提供先に相当する携帯端末装置に代わって取得する画像取得印刷装置であって、
上記画像提供装置から上記ネットワークを介して送信された、上記提供先への提供用に選択された画像データを特定する提供画像特定情報をコード化して生成された画像特定用２次元コード画像が上記携帯端末装置によって受信された後、当該携帯端末装置の表示手段に表示された上記画像特定用２次元コード画像を撮像する撮像手段と、
上記撮像手段により撮像された上記画像特定用２次元コード画像を解読して上記提供画像特定情報を検出する情報検出手段と、
上記情報検出手段により検出された上記提供画像特定情報を上記ネットワークを介して上記画像提供装置に送信する情報送信手段と、
上記画像提供装置に上記提供画像特定情報を送信した結果、当該画像提供装置から上記ネットワークを介して送信された上記画像データを受信するデータ受信手段と、
上記データ受信手段により受信された上記画像データに基づく画像を写真として印刷する印刷手段と
を具えることを特徴とする画像取得印刷装置。
【請求項１１】
上記撮像手段は、
上記画像提供装置から上記ネットワークを介して送信された、上記提供者への提供用に選択された上記画像データを当該提供先及び他の上記提供先との所定数毎に階層的に管理しているデータの管理単位であるフォルダをそれぞれ特定する上記提供画像特定情報をコード化して生成された複数の上記画像特定用２次元コード画像が上記携帯端末装置によって受信された後、当該携帯端末装置の上記表示手段に順次表示された複数の上記画像特定用２次元コード画像を撮像し、
上記情報検出手段は、
上記撮像手段により撮像された複数の上記画像特定用２次元コード画像を解読して複数の上記提供画像特定情報を検出する
ことを特徴とする請求項１０に記載の画像取得印刷装置。
【請求項１２】
上記撮像手段は、
上記画像提供装置から上記ネットワークを介して送信された、上記提供者への提供用に選択された上記画像データと、当該提供用に選択された上記画像データを他の上記画像データと共に一括管理しているデータの管理単位であるフォルダとをそれぞれ特定する上記提供画像特定情報をコード化して生成された複数の上記画像特定用２次元コード画像が上記携帯端末装置によって受信された後、当該携帯端末装置の上記表示手段に表示された複数の上記画像特定用２次元コード画像を撮像し、
上記情報検出手段は、
上記撮像手段により撮像された複数の上記画像特定用２次元コード画像を解読して複数の上記提供画像特定情報を検出する
ことを特徴とする請求項１０に記載の画像取得印刷装置。
【請求項１３】
画像データの提供先に相当する携帯端末装置に代わって上記画像データを取得して当該画像データに基づく画像を写真として印刷する画像取得印刷装置に上記画像データを提供する画像提供方法であって、
データ記憶手段に記憶した複数の上記画像データのうち上記提供先への提供用に選択された上記画像データを特定する提供画像特定情報をコード化して画像特定用２次元コード画像を生成する２次元コード画像生成ステップと、
上記画像特定用２次元コード画像を上記ネットワークを介して上記携帯端末装置に送信するコード送信ステップと、
上記画像取得印刷装置から上記携帯端末装置の表示手段に表示された上記画像特定用２次元コードが撮像されて解読された結果、上記ネットワークを介して送信された上記提供画像特定情報を受信する情報受信ステップと、
上記受信した上記提供画像特定情報によって特定される上記画像データを上記データ記憶手段から読み出し、当該読み出した上記画像データを上記ネットワークを介して上記画像取得印刷装置に送信するデータ送信ステップと
を具えることを特徴とする画像提供方法。
【請求項１４】
上記データ記憶手段に複数の上記画像データを記憶し、当該記憶した複数の上記画像データをそれぞれ上記提供先毎及び当該提供先の所定数毎にデータの階層的な管理単位であるフォルダを作成して階層的に管理するデータ記憶管理ステップ
を具え、
上記２次元コード画像生成ステップは、
上記提供先への提供用に選択された上記画像データを当該提供先及び他の上記提供先との所定数毎に階層的に管理されている上記フォルダをそれぞれ特定する上記提供画像特定情報をコード化して複数の上記画像特定用２次元コード画像を作成し、
上記コード送信ステップは、
複数の上記画像特定用２次元コード画像を上記ネットワークを介して上記携帯端末装置に送信する
ことを特徴とする請求項１３に記載の画像提供方法。
【請求項１５】
上記データ記憶手段に複数の上記画像データを記憶し、当該記憶した複数の上記画像データをデータの階層的な管理単位であるフォルダを作成して一括管理するデータ記憶管理ステップ
を具え、
上記２次元コード画像生成ステップは、
上記提供先への提供用に選択された上記画像データと、当該提供用に選択された上記画像データを他の上記画像データと共に一括管理している上記フォルダとをそれぞれ特定する上記提供画像特定情報をコード化して複数の上記画像特定用２次元コード画像を作成し、
上記コード送信ステップは、
複数の上記画像特定用２次元コード画像を上記ネットワークを介して上記携帯端末装置に送信する
ことを特徴とする請求項１３に記載の画像提供方法。
【請求項１６】
画像データを提供する画像提供装置からネットワークを介して送信される上記画像データを提供先に代わって画像取得印刷装置で取得するように要求する画像データ取得要求方法であって、
上記画像提供装置から上記提供先への提供用に選択された上記画像データを特定する提供画像特定情報をコード化して生成された画像特定用２次元コード画像が上記ネットワークを介して送信されると、当該送信された上記画像特定用２次元コード画像を受信するコード受信ステップと、
上記受信した上記画像特定用２次元コード画像をコード記憶手段に記憶するコード記憶ステップと、
上記画像提供装置の提供する上記画像データを上記提供先に代わって取得して当該画像データに基づく画像を写真として印刷する画像取得印刷装置の撮像手段に上記画像特定用２次元コード画像を提示する際に、命令入力手段を介して入力された上記画像特定用２次元コード画像の表示命令に応じて、上記画像提供装置から上記提供先への提供用に選択された上記画像データを上記画像取得印刷装置によって取得させるために用いる上記提供画像特定情報を当該画像取得印刷装置に上記画像特定用２次元コードを撮像させて解読させるために、上記コード記憶手段から上記画像特定用２次元コード画像を読み出して表示する表示ステップと
を具えることを特徴とする画像データ取得要求方法。
【請求項１７】
上記コード受信ステップは、
上記画像提供装置から上記提供先への提供用に選択された上記画像データを当該提供先及び他の上記提供先との所定数毎に階層的に管理しているデータの管理単位であるフォルダをそれぞれ特定する上記提供画像特定情報をコード化して生成された複数の上記画像特定用２次元コード画像が上記ネットワークを介して送信されると、当該送信された複数の上記画像特定用２次元コード画像を受信し、
上記表示ステップは、
上記提供先への提供用に選択された上記画像データを上記画像取得印刷装置に取得させるために、上記命令入力手段を介して入力される表示命令に応じて、上記コード記憶手段から複数の上記画像特定用２次元コード画像を順次読み出して表示する
ことを特徴とする請求項１６に記載の画像データ取得要求方法。
【請求項１８】
上記コード受信ステップは、
上記画像提供装置から上記提供先への提供用に選択された上記画像データと、当該提供用に選択された上記画像データを他の上記画像データと共に一括管理しているデータの階層的な管理単位であるフォルダとをそれぞれ特定する上記提供画像特定情報をコード化して生成された複数の上記画像特定用２次元コード画像が上記ネットワークを介して送信されると、当該送信された複数の上記画像特定用２次元コード画像を受信し、
上記表示ステップは、
上記提供先への提供用に選択された上記画像データを上記画像取得印刷装置に取得させるために、上記命令入力手段を介して入力された上記表示命令に応じて、上記コード記憶手段から複数の上記画像特定用２次元コード画像を順次読み出して表示する
ことを特徴とする請求項１６に記載の画像データ取得要求方法。
【請求項１９】
画像データを提供する画像提供装置からネットワークを介して送信された上記画像データを、当該画像データの提供先に相当する携帯端末装置に代わって取得して当該取得した上記画像データに基づく画像を写真として印刷する画像取得印刷方法であって、
上記画像提供装置から上記ネットワークを介して送信された、上記提供先への提供用に選択された画像データを特定する提供画像特定情報をコード化して生成された画像特定用２次元コード画像が上記携帯端末装置によって受信された後、当該携帯端末装置の表示手段に表示された上記画像特定用２次元コード画像を撮像する撮像ステップと、
上記撮像した上記画像特定用２次元コード画像を解読して上記提供画像特定情報を検出する情報検出ステップと、
上記検出した上記提供画像特定情報を上記ネットワークを介して上記画像提供装置に送信する情報送信ステップと、
上記画像提供装置に上記提供画像特定情報を送信した結果、当該画像提供装置から上記ネットワークを介して送信された上記画像データを受信するデータ受信ステップと、
上記受信した上記画像データに基づく画像を写真として印刷する印刷ステップと
を具えることを特徴とする画像取得印刷方法。
【請求項２０】
上記撮像ステップは、
上記画像提供装置から上記ネットワークを介して送信された、上記提供者への提供用に選択された上記画像データを当該提供先及び他の上記提供先との所定数毎に階層的に管理しているデータの管理単位であるフォルダをそれぞれ特定する上記提供画像特定情報をコード化して生成された複数の上記画像特定用２次元コード画像が上記携帯端末装置によって受信された後、当該携帯端末装置の上記表示手段に順次表示された複数の上記画像特定用２次元コード画像を撮像し、
上記情報検出ステップは、
上記撮像した複数の上記画像特定用２次元コード画像を解読して複数の上記提供画像特定情報を検出する
ことを特徴とする請求項１９に記載の画像取得印刷方法。
【請求項２１】
上記撮像ステップは、
上記画像提供装置から上記ネットワークを介して送信された、上記提供者への提供用に選択された上記画像データと、当該提供用に選択された上記画像データを他の上記画像データと共に一括管理しているデータの管理単位であるフォルダとをそれぞれ特定する上記提供画像特定情報をコード化して生成された複数の上記画像特定用２次元コード画像が上記携帯端末装置によって受信された後、当該携帯端末装置の上記表示手段に表示された複数の上記画像特定用２次元コード画像を撮像し、
上記情報検出ステップは、
上記撮像した複数の上記画像特定用２次元コード画像を解読して複数の上記提供画像特定情報を検出する
ことを特徴とする請求項１９に記載の画像取得印刷方法。
【発明の詳細な説明】
【０００１】
【発明の属する技術分野】
本発明は画像取得印刷システムに関し、例えばインターネット等のネットワーク上のサーバである画像提供装置に保管している写真画像データを取得し、当該取得した写真画像データに基づく写真画像を写真として印刷する画像取得印刷システムに適用して好適なものである。
【０００２】
【従来の技術】
従来の画像取得印刷システムにおいては、情報端末装置にアプリケーションプログラムの起動やコンテンツ（画像等）のダウンロード等の希望動作を記録したＩＤを認識させることにより当該希望動作を自動的に実行させている（例えば、特許文献１参照）。
【０００３】
【特許文献１】
特開２００１−９２５５１公報（第３頁及び第４頁）
【０００４】
【発明が解決しようとする課題】
ところでかかる構成の画像取得印刷システムによれば、情報端末装置によりＩＤを認識させてネットワーク上の画像提供装置から例えば写真画像の写真画像データをコンテンツとして自動的に取得し、当該取得した写真画像データに基づく写真画像を情報端末装置に接続されたプリンタを用いて印刷することにより写真画像を印刷物として利用させることができる。
【０００５】
ところが最近では、ネットワーク上の画像提供装置から写真画像データを取得して当該写真画像データに基づく写真画像を印刷物として利用する傾向が高まりつつあるものの、情報端末装置に接続された個人用の市販のプリンタでは、一般的に写真画像を比較的低い解像度でしか印刷することができない。
【０００６】
このため画像取得印刷システムにおいて、写真画像を銀塩写真のように解像度の比較的高い写真として利用するには、情報端末装置により、画像提供装置から取得した写真画像データをメモリスティック（登録商標）のような半導体メモリや、ディスク状記録媒体等の持ち運び可能な記録媒体に記録し、その記録媒体をＤＰＥ（Ｄｅｖｅｌｏｐｉｎｇ  Ｐｒｉｎｔｉｎｇ  Ｅｎｌａｒｇｉｎｇ  ）店等の画像印刷店に持ち込んで写真画像を写真として比較的高い解像度で印刷する必要がある。
【０００７】
またＤＰＥ店等の画像印刷店で写真画像データに基づく写真画像を印刷するには、その画像印刷店で取り扱うことのできる記録媒体に写真画像データを記録する必要もあり、写真画像を解像度の比較的高い写真としては容易に利用させ難い問題があった。
【０００８】
本発明は以上の点を考慮してなされたもので、画像を写真として容易に利用させ得る画像取得印刷システムを提案しようとするものである。
【０００９】
【課題を解決するための手段】
かかる課題を解決するため本発明においては、画像提供装置において、データ記憶手段に記憶している複数の画像データのうち提供先への提供用に選択された画像データを特定する提供画像特定情報をコード化して画像特定用２次元コード画像を生成し、当該生成した画像特定用２次元コード画像を写真画像データの提供先に相当する携帯端末装置にネットワークを介して送信した後、提供先に代わって画像データを取得して当該画像データに基づく画像を写真として印刷する画像取得印刷装置から携帯端末装置の表示手段に表示された画像特定用２次元コード画像が撮像されて解読された結果、ネットワークを介して送信された提供画像特定情報を受信すると、当該受信した提供画像特定情報によって特定される画像データをデータ記憶手段から読み出してネットワークを介して画像取得印刷装置に送信し、これを受けた画像取得印刷装置においてその画像データを取得するようにした。
【００１０】
従って、画像データに基づく画像を写真として印刷し得る画像取得印刷装置の撮像手段に対して携帯端装置末の表示手段に表示した画像特定用２次元コード画像を提示するだけで、画像提供装置から提供先に代えてその画像取得印刷装置に画像データを取得することができ、当該画像取得印刷装置でその画像データに基づく画像を写真として容易に印刷することができる。
【００１１】
【発明の実施の形態】
以下図面について、本発明の一実施の形態を詳述する。
【００１２】
図１において、１は全体として本発明による画像取得印刷システムを示し、インターネットサービスプロバイダの管理運営するサーバである画像提供装置２にインターネット等のネットワーク３を介して、写真画像データの提供者により自宅等で使用されるパーソナルコンピュータ４、固定無線局である基地局５、ＤＰＥ（Ｄｅｖｅｌｏｐｉｎｇ  Ｐｒｉｎｔｉｎｇ  Ｅｎｌａｒｇｉｎｇ  ）店や簡易小売店等の複数の画像印刷店にそれぞれ設置された画像取得印刷装置６Ａ乃至６Ｃが接続されると共に、当該基地局５に移動無線局である複数の携帯電話機７Ａ乃至７Ｃを無線接続し得るようになされている。
【００１３】
この場合、パーソナルコンピュータ４は、被写体を撮影して得られた写真画像データを記憶しているデジタルカメラ８を接続することができ、当該デジタルカメラ８から写真画像データを取り込む。
【００１４】
そしてパーソナルコンピュータ４は、写真画像データをネットワーク３を介して画像提供装置２に送信して保管すると共に、本来その写真画像データの提供先となる取得者のパーソナルコンピュータ等の情報端末装置に代えて、写真画像データの提供先に相当する、当該取得者の携帯電話機７Ａ乃至７Ｃに割り当てられているメールアドレスをネットワーク３を介して画像提供装置２に送信して当該画像提供装置２に取得者への写真画像データの提供を依頼する。
【００１５】
画像提供装置２は、パーソナルコンピュータ４からネットワーク３を介して送信された写真画像データを取り込んで保管し、この状態で取得者への写真画像データの提供が依頼されると、当該画像提供装置２に割り当てられているＵＲＬ（Ｕｎｉｆｏｒｍ  Ｒｅｓｏｕｒｃｅ  Ｌｏｃａｔｏｒ）等のように数字や記号等の文字列でなるネットワーク３上のアドレス情報（以下、これを提供装置アドレス情報と呼ぶ）と、写真画像データの取得者を個人認証するための数字や記号等の文字列でなる個人認証用識別情報と、取得者への提供用に選択された写真画像データを特定するため数字や記号等の文字列でなる提供画像特定情報とをそれぞれ２値化し、当該２値化した提供装置アドレス情報、個人認証用識別情報、提供画像特定情報をそれぞれ２次元的に展開して表すサイバーコード（ソニー株式会社  登録商標）と呼ばれる２次元コードの画像（以下、これを２次元コード画像と呼ぶ）を生成する。
【００１６】
ここで図２に示すように、２次元コードＳＣすなわちサイバーコードは、方形のブロックを基準単位として縦方向に  ９．５ブロック分の長さを有し、かつ横方向に７ブロック分の長さを有する長方形の範囲内に、縦方向及び横方向が共に７ブロック分の長さを有するセル部ＳＣＡと、縦方向に  １．５ブロック分の長さを有し、かつ横方向に７ブロック分の長さを有するロゴ部ＳＣＢとが縦方向に１ブロック分離れて設けられて構成されている。
【００１７】
この２次元コードＳＣにおいてセル部ＳＣＡには、提供装置アドレス情報、個人認証用識別情報又は提供画像特定情報と、誤り訂正用ビットとをコード化して表す方形の複数のセルＳＣＣ（すなわち、図中に黒色で示すブロック）が２次元的な所定のパターンで配置されている。
【００１８】
また２次元コードＳＣにおいてロゴ部ＳＣＢには、当該２次元コードＳＣのコード体系に付された名称として例えばＣｙｂｅｒ  Ｃｏｄｅと言うロゴマークが白抜き文字として形成されている。
【００１９】
画像提供装置２は、このようにして生成した提供装置アドレス情報、個人認証用識別情報及び提供画像特定情報の図２に示すような２次元コード画像を電子メールに添付する。
【００２０】
そして画像提供装置２は、２次元コード画像を添付した電子メール（以下、これを特に画像取得要求用電子メールと呼ぶ）を画像取得要求用メールデータとし、当該画像取得要求用メールデータを取得者の携帯電話機７Ａ乃至７Ｃに割り当てられたメールアドレスに従ってネットワーク３及び基地局５を順次介して当該写真画像データの提供先に相当する、当該取得者の携帯電話機７Ａ乃至７Ｃに送信する。
【００２１】
携帯電話機７Ａ乃至７Ｃは、画像提供装置２からネットワーク３及び基地局５を順次介して送信された画像取得要求用メールデータを受信すると、これを記憶して当該画像取得要求用メールデータに基づく画像取得要求用電子メールを取得すると共に、操作部の操作に応じて、その画像取得要求用メールデータに基づく画像取得要求用電子メールに添付されている２次元コード画像を表示部に表示し得るようになされている。
【００２２】
ところで画像取得印刷装置６Ａ乃至６Ｃは、携帯電話機７Ａ乃至７Ｃの表示部に表示された２次元コード画像を撮像するカメラを有している。
【００２３】
従って取得者が画像取得印刷装置６Ａ乃至６Ｃの設置されたいずれかの画像印刷店に、画像取得要求用電子メールを取得した自分の携帯電話機７Ａ乃至７Ｃを持ち込み、写真画像データの取得要求の意思表示として画像取得印刷装置６Ａ乃至６Ｃのカメラに対して、表示部に表示した２次元コード画像を提示すると、当該画像取得印刷装置６Ａ乃至６Ｃは画像取得印刷処理を開始することにより２次元コード画像をカメラで撮像し、その結果得られた撮像画像（すなわち、２次元コード画像）を解読して提供装置アドレス情報、個人認証用識別情報及び提供画像特定情報を検出する。
【００２４】
そして画像取得印刷装置６Ａ乃至６Ｃは、提供装置アドレス情報に従って自動的にネットワーク３を介して画像提供装置２にアクセスし、個人認証用識別情報をネットワーク３を介して画像提供装置２に送信する。
【００２５】
画像提供装置２は、画像取得印刷装置６Ａ乃至６Ｃからネットワーク３を介して送信された個人認証用識別情報を受信すると、その個人認証用識別情報を用いて個人認証処理を実行する。
【００２６】
これにより画像提供装置２は、画像印刷店で写真画像データの取得を要求した取得者を提供者によって指定された正規の取得者であると個人認証すると、写真画像データの取得を許可する画像取得許可データをネットワーク３を介して画像取得印刷装置６Ａ乃至６Ｃに返信する。
【００２７】
因みに画像提供装置２は、個人認証処理の結果、画像印刷店で写真画像データの取得を要求した取得者を提供者によって指定された正規の取得者とは異なる取得者であると判断すると、写真画像データの取得を拒否する画像取得拒否データをネットワーク３を介して画像取得印刷装置６Ａ乃至６Ｃに返信する。
【００２８】
画像取得印刷装置６Ａ乃至６Ｃは、画像提供装置２からネットワーク３を介して送信された画像取得許可データを受信すると、これに応じて提供画像特定情報をネットワーク３を介して画像提供装置２に送信することにより当該画像提供装置２からその提供画像特定情報で特定され写真画像データ（すなわち、提供者によって取得者への提供用に指定された写真画像データ）を写真画像データの本来の提供先に代わって取得する。
【００２９】
そして画像取得印刷装置６Ａ乃至６Ｃは、画像提供装置２から取得した写真画像データに基づく写真画像を表示部に表示し、この状態で取得者により所望の写真画像が印刷用に選択されると、当該選択された写真画像を高解像度印刷用の専用用紙に専用インクを用いて印刷することにより当該写真画像を印刷した専用用紙を銀塩写真のような高解像度の写真として排出口から排出して取得者に引き渡す。
【００３０】
因みに画像取得印刷装置６Ａ乃至６Ｃは、画像提供装置２からネットワーク３を介して送信された画像取得拒否データを受信すると、これに応じて画像取得印刷処理を中止することにより写真画像データの不当な取得を防止する。
【００３１】
このようにして画像取得印刷システム１においては、取得者の所有する携帯電話機やパーソナルコンピュータ等の情報端末装置に写真画像データを取得させることなく、画像印刷店の画像取得印刷装置６Ａ乃至６Ｃで本来の提供先である取得者に代わって写真画像データを取得させることにより当該写真画像データに基づく写真画像を高解像度な写真として引き渡して利用させ得るようになされている。
【００３２】
実際上図３に示すように、パーソナルコンピュータ４は、当該パーソナルコンピュータ４全体を統括的に制御するＣＰＵ（Ｃｅｎｔｒａｌ  Ｐｒｏｃｅｓｓｉｎｇ  Ｕｎｉｔ  ）１５にＲＡＭ（Ｒａｎｄｏｍ  Ａｃｃｅｓｓ  Ｍｅｍｏｒｙ）１６、ＲＯＭ（Ｒｅａｄ  Ｏｎｌｙ  Ｍｅｍｏｒｙ）１７、ハードディスクドライブ１８、操作部インターフェース１９、表示部インターフェース２０、外部機器インターフェース２１、ネットワークインターフェース２２がそれぞれバス２３を介して接続されている。
【００３３】
パーソナルコンピュータ４のＣＰＵ（以下、これをパソコンＣＰＵと呼ぶ）１５は、操作部２４の操作により当該操作部２４から操作部インターフェース１９及びバス２３を順次介して入力される各種命令に応じてＲＡＭ１６上でＲＯＭ１７に予め格納しているオペレーティングシステムや画像提供依頼処理プログラム等の各種アプリケーションプログラムを展開し、当該展開した各種アプリケーションプログラムに従って写真画像データＤ１に対する画像提供依頼処理等を実行する。
【００３４】
すなわちパソコンＣＰＵ１５は、操作部２４の操作に応じて写真画像データＤ１の取込命令が入力されると、外部機器インターフェース２１に接続されているデジタルカメラ８（図１）から被写体を撮影して得られた１又は複数の写真画像データＤ１を当該外部機器インターフェース２１を介して取り込み、当該取り込んだ写真画像データＤ１をハードディスクドライブ１８のハードディスクに一旦記録する。
【００３５】
因みにパソコンＣＰＵ１５は、操作部２４を介して写真画像データＤ１に対する再生命令が入力されると、ハードディスクドライブ１８のハードディスクから当該操作部２４を介して選択された写真画像データＤ１を読み出して表示部インターフェース２０を介して表示部２５に送出する。
【００３６】
これによりパソコンＣＰＵ１５は、表示部２５に写真画像データＤ１に基づく写真画像を表示し、当該写真画像を提供者に目視させて構図等を確認させ得るようになされている。
【００３７】
そしてパソコンＣＰＵ１５は、操作部２４を介して写真画像データＤ１に対する保管命令と共に提供装置アドレス情報が入力されると、当該提供装置アドレス情報に従って保管命令をネットワークインターフェース２２からネットワーク３（図１）を介して画像提供装置２に送信することにより写真画像データＤ１の保管処理用に画像提供装置２との間で通信状態を確保する。
【００３８】
この状態でパソコンＣＰＵ１５は、ハードディスクドライブ１８のハードディスクから操作部２４を介して選択された提供対象の１又は複数の写真画像データＤ１を再生してネットワークインターフェース２２からネットワーク３を介して画像提供装置２に送信し、当該画像提供装置２においてその写真画像データＤ１をファイル化して記録保管すると共に、その際にデータの階層的な管理単位であるフォルダ（以下、これを画像管理用フォルダと呼ぶ）を作成し、当該作成した画像管理用フォルダにより、ファイル化した写真画像データＤ１を一括して管理する。
【００３９】
またパソコンＣＰＵ１５は、操作部２４を介して写真画像データＤ１に対する画像提供依頼命令が入力されると、ＲＯＭ１７から画像提供依頼処理プログラムを読み出してＲＡＭ１６上で展開し、当該展開した画像提供依頼処理プログラムに従って画像提供依頼処理を実行することにより図４に示す画像提供依頼処理手順ＲＴ１に開始ステップから入って続くステップＳＰ１に移る。
【００４０】
ステップＳＰ１においてパソコンＣＰＵ１５は、操作部２４を介して入力された提供装置アドレス情報に従って当該操作部２４を介して入力された提供依頼処理実行命令をネットワークインターフェース２２からネットワーク３を介して画像提供装置２に送信することにより写真画像データＤ１に対する画像提供依頼処理用に当該画像提供装置２との間で通信状態を確保して、続くステップＳＰ２に移る。
【００４１】
ステップＳＰ２においてパソコンＣＰＵ１５は、画像提供装置２から提供依頼処理実行命令に応じてネットワーク３を介して送信された画像提供依頼処理画面データＤ２をネットワークインターフェース２２を介して取り込んで表示部インターフェース２０から表示部２５に送出することにより当該表示部２５に画像提供依頼処理画面データＤ２に基づいて、画像提供装置２に保管している写真画像データＤ１を例えばアイコン（以下、これを提供画像選択用アイコンと呼ぶ）で示す画像提供処理画面（図示せず）を表示してステップＳＰ３に移る。
【００４２】
ここでパソコンＣＰＵ１５は、図５に示すように、操作部２４の操作に応じて、例えば１人の取得者ＡＣ１への提供用に、画像管理用フォルダＳＦＯ１で管理されている複数の写真画像データＤ１Ａ乃至Ｄ１Ｇからなる写真画像データ群から１つの写真画像データＤ１Ａのみを選択させることができると共に、会社の同僚や友人等の取得者ＡＣ２乃至ＡＣ４への提供用に、当該写真画像データ群から複数の写真画像データＤ１Ｂ及びＤ１Ｃ、Ｄ１Ｄ乃至Ｄ１Ｆ、Ｄ１Ｆ及びＤ１Ｇ同士をそれぞれまとめて写真画像アルバムＰＨＡ１乃至ＰＨＡ３としても選択させ得るようになされている。
【００４３】
またパソコンＣＰＵ１５は、会社の複数の同僚や複数の友人等の取得者ＡＣ３及びＡＣ４への提供用に、写真画像データ群から１又は複数の写真画像データＤ１Ｆを重複させて複数の写真画像データＤ１Ｄ乃至Ｄ１Ｆ、Ｄ１Ｆ及びＤ１Ｇ同士をそれぞれ写真画像アルバムＰＨＡ２及びＰＨＡ３として選択させることもできる。
【００４４】
実際にステップＳＰ３においてパソコンＣＰＵ１５は、例えば写真画像データＤ１の保管処理の際に作成した画像管理用フォルダの下層に、操作部２４の操作に応じて画像提供依頼処理画面上で１人の取得者への提供用に選択される写真画像データＤ１を個別に管理するためのフォルダ（以下、これを提供画像個別管理用フォルダと呼ぶ）を新たに作成し、当該選択される写真画像データＤ１を提供画像個別管理用フォルダによって管理すると共に、その提供画像個別管理用フォルダをこれよりも管理体系では上層の画像管理用フォルダによって管理するように階層的な管理体系を構築する。
【００４５】
そしてパソコンＣＰＵ１５は、操作部２４を介して画像提供依頼処理画面上で１人の取得者への選択用に１又は複数の写真画像データＤ１が複数の提供画像選択用アイコンのうち対応する１又は複数の提供画像選択用アイコンとして任意に選択された後、当該選択された１又は複数の写真画像データＤ１の直接の管理を新たに作成した提供画像個別管理用フォルダに移管するように指示されると、その選択された１又は複数の写真画像データＤ１の管理を提供画像個別管理用フォルダに移管して、ステップＳＰ４に移る。
【００４６】
ステップＳＰ４においてパソコンＣＰＵ１５は、ステップＳＰ３において選択された写真画像データＤ１の提供先に相当する携帯電話機７Ａ乃至７Ｃに割り当てられているメールアドレスが操作部２４を介して入力されることにより、当該入力されたメールアドレスをステップＳＰ３において作成した提供画像個別管理用フォルダに対応付けてステップＳＰ５に移る。
【００４７】
ステップＳＰ５においてパソコンＣＰＵ１５は、取得者への提供用に選択される写真画像データＤ１を個別に管理するための提供画像個別管理用フォルダの作成が終了したか否かを判断する。
【００４８】
このステップＳＰ５において否定結果が得られると、このことは提供者が写真画像データＤ１を提供したいと考えている取得者が複数人存在することにより、引き続き操作部２４を介して新たな提供画像個別管理用フォルダの作成命令が入力されたことを表しており、このときパソコンＣＰＵ１５はステップＳＰ３に戻る。
【００４９】
このようにしてパソコンＣＰＵ１５は、この後ステップＳＰ５において肯定結果が得られるまでの間は、ステップＳＰ３−ＳＰ４−ＳＰ５の処理を循環的に繰り返すことにより、図６に示すように画像管理用フォルダＳＦＯ１の下層に複数の提供画像個別管理用フォルダＴＦＯ１乃至ＴＦＯ４を作成して、当該作成した提供画像個別管理用フォルダＴＦＯ１乃至ＴＦＯ４に、複数の取得者への提供用に選択された写真画像データＤ１Ａ、Ｄ１Ｂ及びＤ１Ｃ、Ｄ１Ｄ乃至Ｄ１Ｆ、Ｄ１Ｆ及びＤ１Ｇの直接の管理をそれぞれ移管し、かつ写真画像データＤ１の提供先に相当する、取得者の携帯電話機７Ａ乃至７Ｃに割り当てられたメールアドレスＭＡ１乃至ＭＡ４を対応付けて取得者とこれに提供すべき写真画像データＤ１Ａ乃至Ｄ１Ｇとを特定し得るようにする。
【００５０】
ここでパソコンＣＰＵ１５は、かかるステップＳＰ３及びステップＳＰ４の処理を実行する毎にその処理結果（新たに作成した提供画像個別管理用フォルダＴＦＯ１乃至ＴＦＯ４や、その提供画像個別管理用フォルダＴＦＯ１乃至ＴＦＯ４で管理する写真画像データＤ１Ａ乃至Ｄ１Ｇ、当該提供画像個別管理用フォルダＴＦＯ１乃至ＴＦＯ４に対応付けたメールアドレスＭＡ１乃至ＭＡ４）を画像提供依頼処理結果データＤ３として順次ネットワークインターフェース２２からネットワーク３を介して画像提供装置２に送信して記録する。
【００５１】
これによりパソコンＣＰＵ１５は、画像提供装置２にステップＳＰ３及びステップＳＰ４の処理結果を反映させて、遠隔操作のように画像提供装置２においても画像管理用フォルダＳＦＯ１の下層に新たな提供画像個別管理用フォルダＴＦＯ１乃至ＴＦＯ４を作成し、当該作成した提供画像個別管理用フォルダＴＦＯ１乃至ＴＦＯ４に取得者への提供用に選択された写真画像データＤ１Ａ乃至Ｄ１Ｇの直接の管理を移管し、さらにはメールアドレスＭＡ１乃至ＭＡ４を提供画像個別管理用フォルダＴＦＯ１乃至ＴＦＯ４に対応付けるような処理を実行し得るようになされている。
【００５２】
そしてステップＳＰ５において肯定結果が得られると、このことは提供画像個別管理用フォルダＴＦＯ１乃至ＴＦＯ４の作成が終了し、提供者が写真画像データＤ１を提供したいと考えている全ての取得者と、これに提供すべき写真画像データＤ１Ａ乃至Ｄ１Ｇとを特定し得るようにしたことを表しており、このときパソコンＣＰＵ１５はステップＳＰ６に移る。
【００５３】
ステップＳＰ６においてパソコンＣＰＵ１５は、取得者に対する写真画像データＤ１の提供が依頼されたか否かを判断する。
【００５４】
このステップＳＰ６において否定結果が得られると、このことは画像提供依頼処理画面に設けられた依頼ボタンが未だ操作部２４を介して押下されてはいないことを表しており、このときパソコンＣＰＵ１５は操作部２４を介して依頼ボタンが押下されることを待ち受ける。
【００５５】
そしてステップＳＰ６においてパソコンＣＰＵ１５は、操作部２４の操作に応じて画像提供依頼処理画面上で依頼ボタンが押下されることにより肯定結果が得られると、取得者に対する写真画像データＤ１の提供を依頼する画像提供依頼データＤ４をネットワークインターフェース２２からネットワーク３を介して画像提供装置２に送信した後、続くステップＳＰ７に移ってこの画像提供依頼処理手順ＲＴ１を終了する。
【００５６】
このようにしてパソコンＣＰＵ１５は、画像提供装置２に対して提供対象の写真画像データＤ１を保管管理させつつ、当該取得者に対する写真画像データＤ１の提供を委託する。
【００５７】
次いで図７に示すように、画像提供装置２は、当該画像提供装置２全体を統括的に制御するＣＰＵ（以下、これを提供装置ＣＰＵと呼ぶ）３０にＲＡＭ３１、ＲＯＭ３２、ハードディスクドライブ３３、ネットワークインターフェース３４がそれぞれバス３５を介して接続されている。
【００５８】
提供装置ＣＰＵ３０は、ＲＡＭ３１上でＲＯＭ３２に予め格納しているオペレーティングシステムや２次元コード生成配信処理プログラム、画像提供処理プログラム等の各種アプリケーションプログラムを展開し、当該展開した各種アプリケーションプログラムに従って２次元コード生成配信処理や画像提供処理等を実行する。
【００５９】
すなわち提供装置ＣＰＵ３０は、パーソナルコンピュータ４（図１及び図３）からネットワーク３（図１）を介して送信された保管命令をネットワークインターフェース３４を介して受信すると、これに応じて写真画像データＤ１の保管処理用に当該パーソナルコンピュータ４との間で通信状態を確保する。
【００６０】
この状態で提供装置ＣＰＵ３０は、パーソナルコンピュータ４から引き続きネットワーク３を介して送信された提供対象の写真画像データＤ１をネットワークインターフェース３４を介して受信し、当該受信した写真画像データＤ１をパーソナルコンピュータ４の指示のもとにファイル化してハードディスクドライブ３３のハードディスクに記録すると共に、当該パーソナルコンピュータ４の指示のもとに画像管理用フォルダを作成してそのファイル化した写真画像データＤ１を一括して保管管理する。
【００６１】
また提供装置ＣＰＵ３０は、パーソナルコンピュータ４からネットワーク３を介して送信された提供依頼処理実行命令をネットワークインターフェース３４を介して受信すると、これに応じて写真画像データＤ１に対する画像提供依頼処理用に当該パーソナルコンピュータ４との間で通信状態を確保する。
【００６２】
そして提供装置ＣＰＵ３０は、このようにパーソナルコンピュータ４との間で通信状態を確保すると、ＲＯＭ３２から２次元コード生成配信処理プログラムを読み出してＲＡＭ３１上で展開し、当該展開した２次元コード生成配信処理プログラムに従って２次元コード生成配信処理を実行することにより図８に示す２次元コード生成配信処理手順ＲＴ２に開始ステップから入って続くステップＳＰ１１に移る。
【００６３】
ステップＳＰ１１において提供装置ＣＰＵ３０は、ハードディスクドライブ３３のハードディスクからこれに予め記憶している画像提供依頼処理画面データＤ２を読み出し、当該読み出した画像提供依頼処理画面データＤ２をネットワークインターフェース３４からネットワーク３を介してパーソナルコンピュータ４に送信してステップＳＰ１２に移る。
【００６４】
ステップＳＰ１２において提供装置ＣＰＵ３０は、パーソナルコンピュータ４からネットワーク３を介して送信された画像提供依頼処理結果データＤ３を受信したか否かを判断する。
【００６５】
このステップＳＰ１２において否定結果が得られると、このことはパーソナルコンピュータ４において未だ図４について上述した画像提供依頼処理手順ＲＴ１におけるステップＳＰ３の処理が実行されてはいないことにより画像管理用フォルダの下層に新たな提供画像個別管理用フォルダが作成されてはいないことを表しており、このとき提供装置ＣＰＵ３０は、パーソナルコンピュータ４からネットワーク３を介して送信される画像提供依頼処理結果データＤ３の受信を待ち受ける。
【００６６】
そしてこのステップＳＰ１２において肯定結果が得られると、このことはパーソナルコンピュータ４において図４について上述した画像提供依頼処理手順ＲＴ１におけるステップＳＰ３の処理が実行され、この結果新たな提供画像個別管理用フォルダが作成される共に、当該提供画像個別管理用フォルダに取得者への提供用に選択された写真画像データＤ１の直接の管理が移管されたことで当該パーソナルコンピュータ４からネットワーク３を介して送信された画像提供依頼処理結果データＤ３をネットワークインターフェース３４を介して受信したことを表している。
【００６７】
従って提供装置ＣＰＵ３０は、このとき画像提供依頼処理結果データＤ３に応じて画像管理用フォルダの下層に新たな提供画像個別管理用フォルダを作成すると共に、ハードディスクドライブ３３のハードディスクに記録している複数の写真画像データＤ１のうち取得者への提供用に選択された写真画像データＤ１の直接の管理をその新たな提供画像個別管理用フォルダに移管して、続くステップＳＰ１３に移る。
【００６８】
ステップＳＰ１３において提供装置ＣＰＵ３０は、パーソナルコンピュータ４からネットワーク３を介して送信される画像提供依頼データＤ４を受信したか否かを判断する。
【００６９】
このステップＳＰ１３において否定結果が得られると、このことはパーソナルコンピュータ４において未だ図４について上述した画像提供依頼処理手順ＲＴ１におけるステップＳＰ３又はステップＳＰ４の処理が実行されている途中で当該パーソナルコンピュータ４からネットワーク３を介して送信される画像提供依頼処理結果データＤ３を受信する可能性があることを表しており、このとき提供装置ＣＰＵ３０はステップＳＰ１２に戻る。
【００７０】
このようにして提供装置ＣＰＵ３０は、この後ステップＳＰ１３において肯定結果が得られるまでの間は、ステップＳＰ１２−ＳＰ１３の処理を循環的に繰り返すことによりパーソナルコンピュータ４から図４について上述した画像提供依頼処理手順ＲＴ１におけるステップＳＰ３及びステップＳＰ４の処理が順次実行されてネットワーク３を介して送信された画像提供依頼処理結果データＤ３をネットワークインターフェース３４を介して受信する。
【００７１】
そして提供装置ＣＰＵ３０は、画像提供依頼処理結果データＤ３を受信する毎に、当該受信した画像提供依頼処理結果データＤ３に応じて画像管理用フォルダの下層に新たな提供画像個別管理用フォルダを作成し、ハードディスクドライブ３３のハードディスクに記録している複数の写真画像データＤ１のうち取得者への提供用に選択された写真画像データＤ１の直接の管理をその提供画像個別管理用フォルダに移管すると共に、当該提供画像個別管理用フォルダに写真画像データＤ１の提供先に相当する、取得者の携帯電話機７Ａ乃至７Ｃに割り当てられたメールアドレスを対応付けてハードディスクドライブ３３のハードディスクに記録する。
【００７２】
この後、ステップＳＰ１３において肯定結果が得られると、このことはパーソナルコンピュータ４において図４について上述した画像提供依頼処理手順ＲＴ１におけるステップＳＰ３及びステップＳＰ４の処理が終了して提供者に対する写真画像データＤ１の提供を依頼する画像提供依頼データＤ４をネットワーク３及びネットワークインターフェース３４を順次介して受信したことを表しており、このとき提供装置ＣＰＵ３０は続くステップＳＰ１４に移る。
【００７３】
ステップＳＰ１４において提供装置ＣＰＵ３０は、ハードディスクドライブ３３のハードディスクからこれに予め記録している提供装置アドレス情報と、種々の情報を２次元コード生成用に２値化するために用いる２値化データテーブルとを読み出すと共に、ステップＳＰ１２において順次ハードディスクに記録したメールアドレスの数だけ（すなわち、提供者によって指定された取得者の数だけ）取得者を個人認証するための個人認証用識別情報を発行する。
【００７４】
そして提供装置ＣＰＵ３０は、ＵＲＬ等の提供装置アドレス情報を２値化データテーブルを参照して２値化し、当該２値化した提供装置アドレス情報を図２について上述したセル部ＳＣＡにおけるセルＳＣＣの２次元的な配置に展開して２次元コード画像（以下、これをアドレス用２次元コード画像と呼ぶ）を生成する。
【００７５】
また提供装置ＣＰＵ３０は、個人認証用識別情報を２値化データテーブルを参照して２値化し、当該２値化した個人認証用識別情報をアドレス用２次元コード画像の場合と同様に図２について上述したセル部ＳＣＡにおけるセルＳＣＣの２次元的な配置に展開して２次元コード画像（以下、これを個人認証用２次元コード画像と呼ぶ）を生成する。
【００７６】
さらに提供装置ＣＰＵ３０は、取得者への提供用に画像管理用フォルダ及び提供画像個別管理用フォルダで階層的に管理している提供対象の写真画像データＤ１のファイル名や当該画像管理用フォルダ及び提供画像個別管理用フォルダの名称等のようにハードディスクにおいてその提供対象の写真画像データＤ１を特定するための提供画像特定情報を２値化データテーブルを参照して２値化し、当該２値化した提供画像特定情報をアドレス用２次元コード画像及び個人認証用２次元コード画像の場合と同様に図２について上述したセル部ＳＣＡにおけるセルＳＣＣの２次元的な配置に展開して２次元コード画像（以下、これを画像特定用２次元コード画像と呼ぶ）を生成し、続くステップＳＰ１５に移る。
【００７７】
ステップＳＰ１５において提供装置ＣＰＵ３０は、写真画像データＤ１の提供者によって指定された取得者に同様に提供者によって指定された写真画像データＤ１を提供し得るように個人認証用２次元コード画像及び画像特定用２次元コード画像を対応付けると共に、当該対応付けた個人認証用２次元コード画像及び画像特定用２次元コード画像にアドレス用２次元コード画像を付加する。
【００７８】
そして提供装置ＣＰＵ３０は、これら３種類のアドレス用２次元コード画像、個人認証用２次元コード画像及び画像特定用２次元コード画像を例えば短冊状に１列に繋げてスクロール表示可能な状態にし、かつ個々のアドレス用２次元コード画像、個人認証用２次元コード画像及び画像特定用２次元コード画像をそれぞれ見出し等で取得者に識別させ得るようにして電子メールに添付することにより画像取得要求用電子メールを作成し、続くステップＳＰ１６に移る。
【００７９】
ステップＳＰ１６において提供装置ＣＰＵ３０は、画像取得要求用電子メールに、ハードディスクドライブ３３のハードディスクに記録している対応するメールアドレスを付加し、当該付加したメールアドレスに従ってその画像取得要求用電子メールを画像取得要求用メールデータＤ５としてネットワークインターフェース３４からネットワーク３及び基地局５を順次介して写真画像データＤ１の提供先に相当する、取得者の携帯電話機７Ａ乃至７Ｃ（図１）に送信した後、続くステップＳＰ１７に移って２次元コード生成配信処理手順ＲＴ２を終了する。
【００８０】
このようにして提供装置ＣＰＵ３０は、写真画像データＤ１の提供者によって指定された当該写真画像データＤ１の提供先に相当する、取得者の携帯電話機７Ａ乃至７Ｃに画像取得要求用電子メールとして３種類のアドレス用２次元コード画像、個人認証用２次元コード画像及び画像特定用２次元コード画像を配信し得るようになされている。
【００８１】
ところで提供装置ＣＰＵ３０は、図９に示すように、例えば２人の提供者から写真画像データＤ１の提供が依頼された場合、一方の提供者から提供が依頼された１又は複数の写真画像データＤ１Ｈ乃至Ｄ１Ｎを管理する最上層の画像管理用フォルダＳＦＯ２の名称等を提供画像特定情報として、これを元に２値化データテーブルを用いて当該画像管理用フォルダＳＦＯ２を特定する第１の画像特定用２次元コード画像（以下、これを第１の上位画像特定用２次元コード画像と呼ぶ）ＦＳＣ１を生成する。
【００８２】
また提供装置ＣＰＵ３０は、他方の提供者から提供が依頼された１又は複数の写真画像データＤ１Ｏ乃至Ｄ１Ｕを管理する最上層の画像管理用フォルダＳＦＯ３の名称等を提供画像特定情報として、これを元に２値化データテーブルを用いて当該画像管理用フォルダＳＦＯ３を特定する第２の画像特定用２次元コード画像（以下、これを第２の上位画像特定用２次元コード画像と呼ぶ）ＦＳＣ２を生成する。
【００８３】
さらに提供装置ＣＰＵ３０は、一方の画像管理用フォルダＳＦＯ２よりも下層の１個の提供画像個別管理用フォルダＴＦＯ１０乃至ＴＦＯ１３の名称と、他方の画像管理用フォルダＳＦＯ３よりも下層の１個の提供画像個別管理用フォルダＴＦＯ１５乃至ＴＦＯ１８の名称等とを提供画像特定情報として、これらを元に２値化データテーブルを用いて一方の１個の提供画像個別管理用フォルダＴＦＯ１０乃至ＴＦＯ１３と、他方の１個の提供画像個別管理用フォルダＴＦＯ１５乃至ＴＦＯ１８との両方の特定に共通して使用する第１乃至第４の画像特定用２次元コード画像（以下、これを第１乃至第４の下位共通画像特定用２次元コード画像と呼ぶ）ＥＳＣ１乃至ＥＳＣ４を生成する。
【００８４】
そして提供装置ＣＰＵ３０は、第１乃至第４の下位共通画像特定用２次元コード画像ＥＳＣ１乃至ＥＳＣ４をそれぞれ第１の上位画像特定用２次元コード画像ＦＳＣ１と共に電子メールに添付して画像取得要求用電子メール（すなわち、アドレス用２次元コード画像及び個人認証用２次元コード画像も添付している）を生成し、当該画像取得要求用電子メールを画像取得要求用メールデータＤ５としてそれぞれ一方の提供者が写真画像データＤ１Ｈ乃至Ｄ１Ｇの提供用に指定した対応する取得者ＡＣ１０乃至ＡＣ１３の携帯電話機７Ａ乃至７Ｃに送信する。
【００８５】
また提供装置ＣＰＵ３０は、第１乃至第４の下位共通画像特定用２次元コード画像ＥＳＣ１乃至ＥＳＣ４をそれぞれ第２の上位画像特定用２次元コード画像ＦＳＣ２と共に電子メールに添付して画像取得要求用電子メール（すなわち、アドレス用２次元コード画像及び個人認証用２次元コード画像も添付している）を生成し、当該画像取得要求用電子メールを画像取得要求用メールデータＤ５としてそれぞれ他方の提供者が写真画像データＤ１Ｏ乃至Ｄ１Ｕの提供用に指定した対応する取得者ＡＣ１５乃至ＡＣ１８の携帯電話機７Ａ乃至７Ｃに送信する。
【００８６】
これにより提供装置ＣＰＵ３０は、取得者によって写真画像データＤ１Ｈ乃至Ｄ１Ｎ、Ｄ１Ｏ乃至Ｄ１Ｕの取得が要求された場合、写真画像データＤ１の提供先に相当する、当該取得者の携帯電話機７Ａ乃至７Ｃに配信した第１及び第２の上位画像特定用２次元コード画像ＦＳＣ１及びＦＳＣ２と、第１乃至第４の下位共通画像特定用２次元コード画像ＥＳＣ１乃至ＥＳＣ４との組み合せによって、まずは一方の第１及び第２の上位画像特定用２次元コード画像ＦＳＣ１及びＦＳＣ２によって画像管理用フォルダＳＦＯ２及びＳＦＯ３を特定する。
【００８７】
次いで提供装置ＣＰＵ３０は、その特定した画像管理用フォルダＳＦＯ２及びＳＦＯ３で管理する複数の提供画像個別管理用フォルダＴＦＯ１０乃至ＴＦＯ１３、ＴＦＯ１５乃至ＴＦＯ１８のうち当該取得者への提供用に選択された写真画像データＤ１Ｈ乃至Ｄ１Ｎ、Ｄ１Ｏ乃至Ｄ１Ｕを直接管理している提供画像個別管理用フォルダＴＦＯ１０乃至ＴＦＯ１３、ＴＦＯ１５乃至ＴＦＯ１８を他方の第１乃至第４の下位共通画像特定用２次元コード画像ＥＳＣ１乃至ＥＳＣ４によって特定する。
【００８８】
このようにして提供装置ＣＰＵ３０は、画像管理用フォルダＳＦＯ２及びＳＦＯ３の特定に第１及び第２の上位画像特定用２次元コード画像ＦＳＣ１及びＦＳＣ２を使用すると共に、当該画像管理用フォルダＳＦＯ２及びＳＦＯ３よりも下層の提供画像個別管理用フォルダＴＦＯ１０乃至ＴＦＯ１３、ＴＦＯ１５乃至ＴＦＯ１８の特定に第１乃至第４の下位共通画像特定用２次元コード画像ＥＳＣ１乃至ＥＳＣ４を使用して最終的に写真画像データＤ１Ｈ乃至Ｄ１Ｎ、Ｄ１Ｏ乃至Ｄ１Ｕを特定することができる。
【００８９】
そして提供装置ＣＰＵ３０は、２次元コード画像ＳＣによりｍ種類の提供画像特定情報を表現し得るとすれば、ｍ個の画像管理用フォルダＳＦＯ２及びＳＦＯ３に対してｍ個の提供画像個別管理用フォルダＴＦＯ１０乃至ＴＦＯ１３、ＴＦＯ１５乃至ＴＦＯ１８を対応付けることができる。
【００９０】
従って提供装置ＣＰＵ３０は、２次元コード画像ＳＣにより、提供対象の写真画像データＤ１Ｈ乃至Ｄ１Ｎ、Ｄ１Ｏ乃至Ｄ１Ｕを管理するｍ×ｍ個の提供画像個別管理用フォルダＴＦＯ１０乃至ＴＦＯ１３、ＴＦＯ１５乃至ＴＦＯ１８を特定し得ると共に、当該特定した提供画像個別管理用フォルダＴＦＯ１０乃至ＴＦＯ１３、ＴＦＯ１５乃至ＴＦＯ１８で管理している写真画像データＤ１Ｈ乃至Ｄ１Ｎ、Ｄ１Ｏ乃至Ｄ１Ｕをｍ×ｍ人の取得者に提供することができ、かくして２次元コード画像によって表現し得る提供画像特定情報の種類が比較的少なくても、当該２次元コード画像を有効に使用して格段的に多くの取得者に対して写真画像データＤ１Ｈ乃至Ｄ１Ｎ、Ｄ１Ｏ乃至Ｄ１Ｕを提供することができる。
【００９１】
一方、提供装置ＣＰＵ３０は、写真画像データＤ１の提供時、画像取得印刷装置６Ａ乃至６Ｃ（図１）から写真画像データＤ１の提供先に相当する、取得者の携帯電話機７Ａ乃至７Ｃに配信したアドレス用２次元コード画像の解読の結果としてネットワーク３（図１）を介して画像提供装置２に写真画像データＤ１の取得処理の実行を要求する画像取得処理要求が送信されることにより当該画像取得処理要求をネットワークインターフェース３４を介して受信すると、これに応じて写真画像データＤ１に対する画像提供処理用に当該画像取得印刷装置６Ａ乃至６Ｃとの間で通信状態を確保する。
【００９２】
そして提供装置ＣＰＵ３０は、このように画像取得印刷装置６Ａ乃至６Ｃとの間で通信状態を確保すると、ＲＯＭ３２から画像提供処理プログラムを読み出してＲＡＭ３１上で展開し、当該展開した画像提供処理プログラムに従って画像提供処理を実行することにより図１０に示す画像提供処理手順ＲＴ３に開始ステップから入って続くステップＳＰ２１に移る。
【００９３】
ステップＳＰ２１において提供装置ＣＰＵ３０は、画像取得印刷装置６Ａ乃至６Ｃから引き続き、写真画像データＤ１の提供先に相当する、取得者の携帯電話機７Ａ乃至７Ｃに配信した個人認証用２次元コード画像の解読の結果としてネットワーク３を介して個人認証用データＤ６が送信されることにより当該個人認証用データＤ６を受信したか否かを判断する。
【００９４】
このステップＳＰ２１において否定結果が得られると、このことは画像取得印刷装置６Ａ乃至６Ｃにおいて取得者の携帯電話機７Ａ乃至７Ｃに配信した個人認証用２次元コード画像を未だ解読している途中であり、当該画像取得印刷装置６Ａ乃至６Ｃからネットワーク３を介して個人認証用データＤ６が送信されてはいないことを表しており、このとき提供装置ＣＰＵ３０は、画像取得印刷装置６Ａ乃至６Ｃからネットワーク３を介して送信される個人認証用データＤ６の受信を待ち受ける。
【００９５】
そしてこのステップＳＰ２１において肯定結果が得られると、このことは画像取得印刷装置６Ａ乃至６Ｃにおいて個人認証用２次元コード画像が解読され、その結果当該画像取得印刷装置６Ａ乃至６Ｃからネットワーク３を介して送信された個人認証用データＤ６をネットワークインターフェース３４を介して受信したことを表しており、このとき提供装置ＣＰＵ３０はステップＳＰ２２に移る。
【００９６】
ステップＳＰ２２において提供装置ＣＰＵ３０は、個人認証用データＤ６に基づいて得られる個人認証用識別情報を用いて、その時点に画像取得印刷装置６Ａ乃至６Ｃを使用して写真画像データＤ１の取得を要求している取得者が当該写真画像データＤ１の提供を依頼した提供者の指定している正規の取得者であるか否かを判断するための個人認証処理を実行し、続くステップＳＰ２３に移る。
【００９７】
ステップＳＰ２３において提供装置ＣＰＵ３０は、個人認証処理の結果、その時点に画像取得印刷装置６Ａ乃至６Ｃを使用して写真画像データＤ１の取得を要求している取得者を個人認証することができたか否かを判断する。
【００９８】
このステップＳＰ２３において肯定結果が得られると、このことは個人認証処理の結果、その時点に画像取得印刷装置６Ａ乃至６Ｃを使用して写真画像データＤ１の取得を要求している取得者を、当該写真画像データＤ１の提供を依頼した提供者が指定している正規の取得者であると個人認証し得たことを表しており、このとき提供装置ＣＰＵ３０は取得者を個人認証したことにより当該取得者に写真画像データＤ１の取得を許可することを示す画像取得許可データＤ８をネットワークインターフェース３４からネットワーク３を介して画像取得印刷装置６Ａ乃至６Ｃに送信して、続くステップＳＰ２４に移る。
【００９９】
ステップＳＰ２４において提供装置ＣＰＵ３０は、画像取得印刷装置６Ａ乃至６Ｃから引き続き、写真画像データＤ１の提供先に相当する、取得者の携帯電話機７Ａ乃至７Ｃに配信した画像特定用２次元コード画像の解読の結果としてネットワーク３を介して写真画像データＤ１を要求する画像要求データＤ７が送信されることにより、当該画像要求データＤ７を受信したか否かを判断する。
【０１００】
このステップＳＰ２４において否定結果が得られると、このことは画像取得印刷装置６Ａ乃至６Ｃにおいて取得者の携帯電話機７Ａ乃至７Ｃに配信した画像特定用２次元コード画像を未だ解読している途中であり、当該画像取得印刷装置６Ａ乃至６Ｃからネットワーク３を介して画像要求データＤ７が送信されてはいないことを表しており、このとき提供装置ＣＰＵ３０は、画像取得印刷装置６Ａ乃至６Ｃからネットワーク３を介して送信される画像要求データＤ７の受信を待ち受ける。
【０１０１】
そしてこのステップＳＰ２４において肯定結果が得られると、このことは画像取得印刷装置６Ａ乃至６Ｃにおいて画像特定用２次元コード画像が解読され、その結果当該画像取得印刷装置６Ａ乃至６Ｃからネットワーク３を介して送信された画像要求データＤ７をネットワークインターフェース３４を介して受信したことを表しており、このとき提供装置ＣＰＵ３０はステップＳＰ２５に移る。
【０１０２】
ステップＳＰ２５において提供装置ＣＰＵ３０は、画像要求データＤ７に基づいて得られる提供画像特定情報に従ってハードディスクドライブ３３のハードディスクから、その時点に画像取得印刷装置６Ａ乃至６Ｃを使用して写真画像データＤ１の取得を要求している取得者に提供すべき写真画像データＤ１を特定して読み出し、当該読み出した写真画像データＤ１をネットワークインターフェース３４からネットワーク３を介して画像取得印刷装置６Ａ乃至６Ｃに送信した後、続くステップＳＰ２６に移って画像提供処理手順ＲＴ３を終了する。
【０１０３】
ところで上述したステップＳＰ２３において否定結果が得られると、このことは個人認証処理の結果、その時点に画像取得印刷装置６Ａ乃至６Ｃを使用して写真画像データＤ１の取得を要求している取得者を、当該写真画像データＤ１の提供を依頼した提供者が指定している正規の取得者とは異なる取得者、すなわち写真画像データＤ１を不当に取得しようとしている取得者であると判断したことを表しており、このとき提供装置ＣＰＵ３０は取得者を個人認証し得ないことにより当該取得者への写真画像データＤ１の取得を拒否することを示す画像取得拒否データＤ９をネットワークインターフェース３４からネットワーク３を介して画像取得印刷装置６Ａ乃至６Ｃに送信してステップＳＰ２６に移る。
【０１０４】
このようにして提供装置ＣＰＵ３０は、提供者が取得者への提供用に選択した写真画像データＤ１を、当該写真画像データＤ１の本来の提供先に代えてその取得者が現時点で写真画像データＤ１の取得用に使用している画像取得印刷装置６Ａ乃至６Ｃに適確に提供し得るようになされている。
【０１０５】
続いて携帯電話機７Ａ乃至７Ｃは、それぞれ基本的に同様の回路構成を有することにより、以下に携帯電話機７Ａの回路構成について説明する。
【０１０６】
携帯電話機７Ａは、図１１に示すように、当該携帯電話機７Ａ全体の動作を統括的に制御する制御部４０に送受信処理部４１、不揮発性メモリでなる記憶部４２、液晶ディスプレイでなる表示部４３、各種操作キーからなる操作部４４が接続され、当該送受信処理部４１にマイクロホン４５及びスピーカ４６並びにアンテナ４７が接続されている。
【０１０７】
制御部４０は、内部のメモリに予め格納しているオペレーティングシステムや、画像取得要求用メール取得処理プログラム、２次元コード画像表示処理プログラム等の各種アプリケーションプログラムに従って画像取得要求用電子メールに対する画像取得要求用メール取得処理、２次元コード画像表示処理等の各種処理を実行する。
【０１０８】
すなわち制御部４０は、操作部４４を介して入力された起動命令に応じて携帯電話機７Ａを起動させると、内部のメモリに予め記憶している画像取得要求用メール取得処理プログラムに従って画像取得要求用メール取得処理を実行することにより図１２に示す画像取得要求用メール取得処理手順ＲＴ４に開始ステップから入って続くステップＳＰ３１に移る。
【０１０９】
ステップＳＰ３１において制御部４０は、画像提供装置２からネットワーク３を介して送信される画像取得要求用メールデータＤ５を受信したか否かを判断する。
【０１１０】
このステップＳＰ３１において否定結果が得られると、このことは提供者が画像提供装置２（図１及び図７）に取得者への写真画像データＤ１の提供を依頼してはいないことにより当該画像提供装置２からネットワーク３（図１）を介して送信される画像取得要求用メールデータＤ５を未だ受信してはいないことを表しており、このとき制御部４０は画像取得要求用メールデータＤ５の受信を待ち受ける。
【０１１１】
そしてステップＳＰ３１において肯定結果が得られると、このことは提供者が画像提供装置２に取得者への写真画像データＤ１の提供を依頼したことにより当該画像提供装置２からネットワーク３を介して送信された画像取得要求用メールデータＤ５が基地局５において無線通信用の変調処理等が施されて画像取得要求用メール信号Ｓ１として送信されることにより、その画像取得要求用メール信号Ｓ１をアンテナ４７で受信して送受信処理部４１に取り込んだことを表しており、このとき制御部４０は続くステップＳＰ３２に移る。
【０１１２】
ステップＳＰ３２において制御部４０は、送受信処理部４１において画像取得要求用メール信号Ｓ１に復調処理等の所定の受信処理を施し、得られた画像取得要求用メールデータＤ５を記憶部４２に記憶すると共に、表示部４３及びスピーカ４６等を介して取得者に画像取得要求用メールデータＤ５の受信を通知した後、続くステップＳＰ３３に移る。
【０１１３】
ステップＳＰ３３において制御部４０は、操作部４４を介して携帯電話機７Ａに対する起動停止命令が入力されたか否かを判断する。
【０１１４】
このステップＳＰ３３において否定結果が得られると、このことは取得者が通話用等に携帯電話機７Ａを使用することにより当該携帯電話機７Ａを起動させたままの状態であることを表しており、このとき制御部４０はステップＳＰ３１に戻って上述したステップＳＰ３１−ＳＰ３２−ＳＰ３３の処理を循環的に繰り返す。
【０１１５】
これに対してステップＳＰ３３において肯定結果が得られると、このことは例えば取得者が電車に乗車するために操作部４４を介して携帯電話機７Ａに対する起動停止命令が入力されたことを表しており、このとき制御部４０は続くステップＳＰ３４に移ってこの画像取得要求用メール取得処理手順ＲＴ４を終了する。
【０１１６】
また制御部４０は、画像取得要求用メールデータＤ５を受信すると、内部のメモリに予め記憶している２次元コード画像表示処理プログラムに従って２次元コード画像表示処理を実行することにより図１３に示す２次元コード画像表示処理手順ＲＴ５に開始ステップから入って続くステップＳＰ４１に移る。
【０１１７】
ステップＳＰ４１において制御部４０は、操作部４４を介して２次元コード画像表示命令が入力されたか否かを判断する。
【０１１８】
このステップＳＰ４１において否定結果が得られると、このことは例えば取得者に写真画像データＤ１の取得に先立ってアドレス用２次元コード画像、個人認証用２次元コード画像及び画像特定用２次元コード画像を確認する意思はなく、又は取得者が画像取得印刷装置６Ａ乃至６Ｃの設置された画像印刷店に未だ来店してはいないことにより操作部４４を介して２次元コード画像表示命令が入力されてはいないことを表しており、このとき制御部４４は操作部４４を介して２次元コード画像表示命令が入力されることを待ち受ける。
【０１１９】
そしてステップＳＰ４１において肯定結果が得られると、このことは例えば取得者が写真画像データＤ１の取得に先立ってアドレス用２次元コード画像、個人認証用２次元コード画像及び画像特定用２次元コード画像を確認するため、又は取得者が画像取得印刷装置６Ａ乃至６Ｃの設置された画像印刷店に写真画像データＤ１の取得のために来店したことにより操作部４４を介して２次元コード画像表示命令が入力されたことを表しており、このとき制御部４０は続くステップＳＰ４２に移る。
【０１２０】
ステップＳＰ４２において制御部４０は、記憶部４２から画像取得要求用メールデータＤ５を読み出し、当該読み出した画像取得要求用メールデータＤ５を表示部４３に送出する。
【０１２１】
これにより制御部４０は、表示部４３に画像取得要求用メールデータＤ５に基づいて１列に繋げられているアドレス用２次元コード画像、個人認証用２次元コード画像及び画像特定用２次元コード画像を表示して、続くステップＳＰ４３に移る。
【０１２２】
ステップＳＰ４３において制御部４０は、操作部４４を介して２次元コード画像表示停止命令が入力されたか否かを判断する。
【０１２３】
このステップＳＰ４３において否定結果が得られると、このことは例えば表示部４３に表示しているアドレス用２次元コード画像、個人認証用２次元コード画像及び画像特定用２次元コード画像を操作部４４の操作に応じてスクロールさせることにより個々のアドレス用２次元コード画像、個人認証用２次元コード画像及び画像特定用２次元コード画像を順番に表示している途中であることを表しており、このとき制御部４０はステップＳＰ４２に戻る。
【０１２４】
またステップＳＰ４３において肯定結果が得られると、このことは個々のアドレス用２次元コード画像、個人認証用２次元コード画像及び画像特定用２次元コード画像が順番に目視確認され、又は個々のアドレス用２次元コード画像、個人認証用２次元コード画像及び画像特定用２次元コード画像を順番に表示して画像取得印刷装置６Ａ乃至６Ｃに撮像させたことにより操作部４４を介して２次元コード画像表示停止命令が入力されたことを表しており、このとき制御部４０はステップＳＰ４４に移る。
【０１２５】
ステップＳＰ４４において制御部４０は、アドレス用２次元コード画像、個人認証用２次元コード画像及び画像特定用２次元コード画像の表示に使用した画像取得要求用メールデータＤ５を消去したか否かを判断する。
【０１２６】
このステップＳＰ４４において否定結果が得られると、このことは例えば画像取得要求用メールデータＤ５をアドレス用２次元コード画像、個人認証用２次元コード画像及び画像特定用２次元コード画像の確認のためにのみ使用して写真画像データＤ１の取得には未だ使用していないことを表しており、このとき制御部４０はステップＳＰ４１に戻る。
【０１２７】
これに対してステップＳＰ４４において肯定結果が得られると、このことは例えば画像取得要求用メールデータＤ５を写真画像データＤ１の取得に使用したことにより操作部４４を介して入力された消去命令に応じてその画像取得要求用メールデータＤ５を記憶部４２内から消去したことを表しており、このとき制御部４０は、続くステップＳＰ４５に移ってこの２次元コード画像表示処理手順ＲＴ５を終了する。
【０１２８】
このようにして制御部４０は、画像取得要求用電子メールを取得すると、操作部４４の操作に応じていつでも好きな時に、その画像取得要求用電子メールに添付されているアドレス用２次元コード画像、個人認証用２次元コード画像及び画像特定用２次元コード画像を表示し得るようになされている。
【０１２９】
因みに制御部４０は、取得者と相手との通話処理や、他の携帯電話機７Ｂ及び７Ｃやパーソナルコンピュータ４との間での電子メールの送受信処理、ネットワーク３上のコンテンツ提供サーバ（図示せず）からのコンテンツデータの取得処理等を実行し得るようになされており、例えば通話時にはマイクロホン４５を介して取得者の音声を集音して得られた音声データを送受信処理部４１に取り込み、当該送受信処理部４１においてその音声データに所定の送信処理を施し、得られた音声用送信信号をアンテナ４７から基地局５及び公衆回線網を順次介して相手の電話機に送信する。
【０１３０】
この際に制御部４０は、相手の電話機から公衆回線網及び基地局５を順次介して送信された音声に相当する音声用受信信号をアンテナ４７で受信して送受信処理部４１に取り込み、当該送受信処理部４１においてその音声用受信信号に復調処理等の所定の受信処理を施し、得られた音声データに基づく相手の音声をスピーカ４６から出力する。
【０１３１】
このようにして制御部４０は、取得者と相手との通話処理を実行して当該取得者と相手との音声通話を成立させる。
【０１３２】
続いて画像取得印刷装置６Ａ乃至６Ｃは、それぞれ基本的に同様の外観構成及び回路構成を有することにより、以下に画像取得印刷装置６Ａの外観構成及び回路構成について説明する。
【０１３３】
まず図１４に示すように、画像取得印刷装置６Ａは、箱型の筐体５０を有し、当該筐体５０の正面パネル５０Ａにアドレス用２次元コード画像、個人認証用２次元コード画像及び画像特定用２次元コード画像を撮像するカメラのレンズ５１と、液晶ディスプレイ等でなる表示部５２と、写真の排出口５３とが配置されると共に、表示部５２の表示画面５２Ａ上にタッチパネル（図示せず）が設けられている。
【０１３４】
この場合、画像取得印刷装置６Ａは、例えば表示部５２に４種類の写真画像データＤ１に基づく写真画像ＰＨ１乃至ＰＨ４を一括して表示し、その状態において表示画面５２Ａ上でタッチパネルを介して所望の写真画像ＰＨ１乃至ＰＨ４が選択されると、当該選択された写真画像ＰＨ１乃至ＰＨ４を高解像度印刷用の専用用紙に専用インクを用いて印刷し、得られた写真５４を排出口５３から排出して取得者に引き渡すことができるようになされている。
【０１３５】
実際上、画像取得印刷装置６Ａは、図１５に示すように、当該画像取得印刷装置６Ａ全体を統括的に制御するＣＰＵ（以下、これを取得印刷装置ＣＰＵと呼ぶ）５５にＲＡＭ５６、ＲＯＭ５７、ネットワークインターフェース５８、カメラインターフェース５９、表示部インターフェース６０、操作部インターフェース６１、プリンタインターフェース６２がそれぞれバス６３を介して接続されている。
【０１３６】
取得印刷装置ＣＰＵ５５は、筐体５０に設けられたタッチパネルや電源投入ボタン等からなる操作部６４の操作により当該操作部６４から操作部インターフェース６１を介して入力される各種命令に応じて、ＲＡＭ５６上でＲＯＭ５７に予め格納しているオペレーティングシステムや画像取得印刷処理プログラム等の各種アプリケーションプログラムを展開し、当該展開した各種アプリケーションプログラムに従って写真画像データＤ１に対する画像取得印刷処理等を実行する。
【０１３７】
すなわち取得印刷装置ＣＰＵ５５は、操作部６４の電源投入ボタンが操作されることにより画像取得印刷装置６Ａを起動すると、ＲＯＭ５７から画像取得印刷処理プログラムを読み出してＲＡＭ５６上で展開し、当該展開した画像取得印刷処理プログラムに従って画像取得印刷処理を実行することにより図１６に示す画像取得印刷処理手順ＲＴ６に開始ステップから入って続くステップＳＰ５１に移る。
【０１３８】
ステップＳＰ５１において取得印刷装置ＣＰＵ５５は、ＲＯＭ５７に予め格納している画像取得印刷処理画面データＤ１０を読み出し、これを表示部インターフェース６０を介して表示部５２に送出することにより図１７に示すように当該表示部５２に画像取得印刷処理画面データＤ１０に基づく画像取得印刷処理画面６５を表示して、続くステップＳＰ５２に移る。
【０１３９】
ここで画像取得印刷処理画面６５には、写真画像データＤ１に基づく写真画像ＰＨ１乃至ＰＨ４や、２次元コード画像の提示を要求するメッセージ等を表示する情報表示領域６６が設けられると共に、２次元コード画像の撮像開始命令を入力するための撮像開始ボタン６７、写真画像の印刷命令を入力するための印刷ボタン６８、画像取得印刷処理の終了命令を入力するための終了ボタン６９が設けられて構成されている。
【０１４０】
そして取得印刷装置ＣＰＵ５５は、表示部５２の表示画面５２Ａにおいて画像取得印刷処理画面６５の情報表示領域６６や、撮像開始ボタン６７、印刷ボタン６８、終了ボタン６９と対向する箇所が指で触れられると、そのときタッチパッド（操作部６４）から操作部インターフェース６１を介して入力される表示画面５２Ａ上の指の触れた座標位置に基づいて、印刷用に選択された写真画像ＰＨ１乃至ＰＨ４や、２次元コード画像の撮像開始、写真画像ＰＨ１乃至ＰＨ４の印刷、画像取得印刷処理の終了等が指示されたことを検出し得るようになされている。
【０１４１】
そしてステップＳＰ５２において取得印刷装置ＣＰＵ５５は、表示部５２に表示している画像取得印刷処理画面６５上で２次元コード画像の撮像開始が指示されたか否かを判断する。
【０１４２】
このステップＳＰ５２において否定結果が得られると、このことは表示部５２に表示している画像取得印刷処理画面６５上で２次元コード画像の撮像開始が未だ指示されてはいないことを表しており、このとき取得印刷装置ＣＰＵ５５は画像取得印刷処理画面６５上で２次元コード画像の撮像開始が指示されることを待ち受ける。
【０１４３】
そしてステップＳＰ５２において肯定結果が得られると、このことは表示部５２に表示している画像取得印刷処理画面６５上で２次元コード画像の撮像開始が指示されたことを表しており、このとき取得印刷装置ＣＰＵ５５は２次元コード画像撮像処理ルーチンＳＲＴ６０に移る。
【０１４４】
この場合、取得印刷装置ＣＰＵ５５は、図１８に示す２次元コード画像撮像処理ルーチンＳＲＴ６０に開始ステップから入って続くステップＳＰ６１に移る。
【０１４５】
ステップＳＰ６１において取得印刷装置ＣＰＵ５５は、画像取得印刷処理画面６５の情報表示領域６６にアドレス用２次元コード画像をカメラ７０のレンズ５１に対して提示するように要求するメッセージを表示し、この結果、携帯電話機７Ａ乃至７Ｃ（図１及び図１１）の表示部４３（図１１）に表示されたアドレス用２次元コード画像がカメラ７０のレンズ５１に対して提示されると、当該カメラ７０によってそのアドレス用２次元コード画像を撮像し、得られたアドレス用２次元コード画像撮像データＤ１１をカメラインターフェース５９を介して取り込んで、続くステップＳＰ６２に移る。
【０１４６】
ステップＳＰ６２において取得印刷装置ＣＰＵ５５は、アドレス用２次元コード画像撮像データＤ１１に基づくアドレス用２次元コード画像を所定の画像処理によって２値化し、得られた２値データをＲＯＭ５７に予め格納している、２次元コード用の２値データを元の情報に変換するために用いる情報復元データテーブルを参照して元の提供装置アドレス情報に変換して（すなわちアドレス用２次元コード画像から元の提供装置アドレス情報を解読して）、続くステップＳＰ６３に移る。
【０１４７】
ステップＳＰ６３において取得印刷装置ＣＰＵ５５は、画像提供装置２に対して写真画像データＤ１の取得処理の実行を要求する画像取得処理要求を生成し、当該生成した画像取得処理要求を提供装置アドレス情報に従ってネットワークインターフェース５８からネットワーク３（図１）を介して画像提供装置２に送信することにより写真画像データＤ１の画像取得印刷処理用に当該画像提供装置２との間で通信状態を確保して、続くステップＳＰ６４に移る。
【０１４８】
ステップＳＰ６４において取得印刷装置ＣＰＵ５５は、画像取得印刷処理画面６５の情報表示領域６６に個人認証用２次元コード画像をカメラ７０のレンズ５１に対して提示するように要求するメッセージを表示し、この結果、携帯電話機７Ａ乃至７Ｃの表示部４３に表示された個人認証用２次元コード画像がカメラ７０のレンズ５１に対して提示されると、当該カメラ７０によってその個人認証用２次元コード画像を撮像し、得られた個人認証用２次元コード画像撮像データＤ１２をカメラインターフェース５９を介して取り込んで、続くステップＳＰ６５に移る。
【０１４９】
ステップＳＰ６５において取得印刷装置ＣＰＵ５５は、個人認証用２次元コード画像撮像データＤ１２に基づく個人認証用２次元コード画像を所定の画像処理によって２値化し、得られた２値データを情報復元データテーブルを参照して元の個人認証用識別情報に変換して（すなわち個人認証用２次元コード画像から元の個人認証用識別情報を解読して）、続くステップＳＰ６６に移る。
【０１５０】
ステップＳＰ６６において取得印刷装置ＣＰＵ５５は、個人認証用識別情報を格納した個人認証用データＤ６を生成し、当該生成した個人認証用データＤ６をネットワークインターフェース５８からネットワーク３を介して画像提供装置２に送信して、続くステップＳＰ６７に移る。
【０１５１】
ステップＳＰ６７において取得印刷装置ＣＰＵ５５は、画像提供装置２に個人認証用データＤ６を送信した結果、当該画像提供装置２からこの時点に画像取得印刷装置６Ａ乃至６Ｃを使用して写真画像データＤ１の取得を要求した取得者が当該写真画像データＤ１の提供者の指定した正規の取得者であるか否かを判断する個人認証処理の結果として画像取得許可データＤ８又は画像取得拒否データＤ９がネットワーク３を介して送信されることにより、ネットワークインターフェース５８を介して受信した画像取得許可データＤ８又は画像取得拒否データＤ９に基づいて写真画像データＤ１の取得を要求した取得者が個人認証されたか否かを判断する。
【０１５２】
このステップＳＰ６７において肯定結果が得られると、このことは画像提供装置２において、画像取得印刷装置６Ａ乃至６Ｃを使用して写真画像データＤ１の取得要求した取得者が当該写真画像データＤ１の提供者が指定した正規の取得者であると個人認証されたことを表しており、このとき取得印刷装置ＣＰＵ５５はネットワークインターフェース５８を介して受信した画像取得許可データＤ８に従って画像取得印刷処理を続行して、続くステップＳＰ６８に移る。
【０１５３】
ステップＳＰ６８において取得印刷装置ＣＰＵ５５は、画像取得印刷処理画面６５の情報表示領域６６に画像特定用２次元コード画像をカメラ７０のレンズ５１に対して提示するように要求するメッセージを表示し、この結果、携帯電話機７Ａ乃至７Ｃの表示部４３に表示された画像特定用２次元コード画像がカメラ７０のレンズ５１に対して提示されると、当該カメラ７０によってその画像特定用２次元コード画像を撮像し、得られた画像特定用２次元コード画像撮像データＤ１３をカメラインターフェース５９を介して取り込んで、続くステップＳＰ６９に移る。
【０１５４】
ステップＳＰ６９において取得印刷装置ＣＰＵ５５は、画像特定用２次元コード画像撮像データＤ１３に基づく画像特定用２次元コード画像を所定の画像処理によって２値化し、得られた２値データを情報復元データテーブルを参照して元の提供画像特定情報に変換して（すなわち画像特定用２次元コード画像から元の提供画像特定情報を解読して）、続くステップＳＰ７０に移る。
【０１５５】
ステップＳＰ７０において取得印刷装置ＣＰＵ５５は、提供画像特定情報を格納した画像要求データＤ７を生成し、当該生成した画像要求データＤ７をネットワークインターフェース５８からネットワーク３を介して画像提供装置２に送信した後、２次元コード画像撮像処理ルーチンＳＲＴ６０を抜けて画像取得印刷処理手順ＲＴ６（図１６）のステップＳＰ５３に移る。
【０１５６】
ステップＳＰ５３において取得印刷装置ＣＰＵ５５は、画像要求データＤ７を画像提供装置２に送信した結果、当該画像提供装置２からネットワーク３を介して送信された写真画像データＤ１をネットワークインターフェース５８を介して受信することにより、当該写真画像データＤ１の提供先に代わってその写真画像データＤ１を取得する。
【０１５７】
そして取得印刷装置ＣＰＵ５５は、受信した写真画像データＤ１を表示部インターフェース６０を介して表示部５２に送出することにより当該表示部５２において画像取得印刷処理画面６５の情報表示領域６６内にその写真画像データＤ１に基づく写真画像ＰＨ１乃至ＰＨ４を表示して、続くステップＳＰ５４に移る。
【０１５８】
ステップＳＰ５４において取得印刷装置ＣＰＵ５５は、表示部５２に表示している画像取得印刷処理画面６５上で画像取得印刷処理の終了が指示されたか否かを判断する。
【０１５９】
このステップＳＰ５４において否定結果が得られると、このことは表示部５２に表示している画像取得印刷処理画面６５上で画像取得印刷処理の終了が未だ指示されず、取得者によって写真画像ＰＨ１乃至ＰＨ４の印刷が指示される可能性があることを表しており、このとき取得印刷装置ＣＰＵ５５はステップＳＰ５５に移る。
【０１６０】
そしてステップＳＰ５５において取得印刷装置ＣＰＵ５５は、表示部５２に表示している画像取得印刷処理画面６５上で写真画像ＰＨ１乃至ＰＨ４の印刷が指示されたか否かを判断する。
【０１６１】
このステップＳＰ５５において否定結果が得られると、このことは表示部５２に表示している画像取得印刷処理画面６５上で写真画像ＰＨ１乃至ＰＨ４の印刷が未だ指示されず、印刷すべき写真画像ＰＨ１乃至ＰＨ４の選択途中である可能性が高いことを表しており、このとき取得印刷装置ＣＰＵ５５はステップＳＰ５４に戻る。
【０１６２】
これにより取得印刷装置ＣＰＵ５５は、この後ステップＳＰ５４において肯定結果が得られるまでの間、又はステップＳＰ５５において肯定結果が得られるまでの間はステップＳＰ５４−ＳＰ５５の処理を循環的に繰り返すことにより取得者に写真画像ＰＨ１乃至ＰＨ４を目視させて印刷すべき写真画像ＰＨ１乃至ＰＨ４を任意に選択させ得るようになされている。
【０１６３】
そしてステップＳＰ５５において肯定結果が得られると、このことは表示部５２に表示している画像取得印刷処理画面６５上での情報表示領域６６内の所望の写真画像ＰＨ１乃至ＰＨ４が印刷用に選択された後、当該画像取得印刷処理画面６５上でその選択された写真画像ＰＨ１乃至ＰＨ４の印刷が指示されたことを表しており、このとき取得印刷装置ＣＰＵ５５は続くステップＳＰ５６に移る。
【０１６４】
ステップＳＰ５６において取得印刷装置ＣＰＵ５５は、取得者によって選択された写真画像ＰＨ１乃至ＰＨ４の写真画像データＤ１をプリンタインターフェース６２を介してプリンタ７１に送出することにより当該プリンタ７１において、その選択された写真画像ＰＨ１乃至ＰＨ４を高解像度印刷用の専用用紙に専用インクを用いて印刷して当該写真画像ＰＨ１乃至ＰＨ４の写真５４を生成し、続くステップＳＰ５７に移る。
【０１６５】
ステップＳＰ５７において取得印刷装置ＣＰＵ５５は、生成した写真５４を排出口５３から排出して取得者に引き渡し、ステップＳＰ５４に戻る。
【０１６６】
このようにして取得印刷装置ＣＰＵ５５は、ステップＳＰ５４において肯定結果が得られるまでの間は、ステップＳＰ５４−ＳＰ５５−ＳＰ５６−ＳＰ５７の処理を循環的に繰り返すことにより取得者の取得した写真画像データＤ１に基づく写真画像ＰＨ１乃至ＰＨ４の一部又は全てを順次印刷することにより写真５４として取得者に引き渡すことができるようになされている。
【０１６７】
そしてステップＳＰ５４において肯定結果が得られると、このことは表示部５２に表示している画像取得印刷処理画面６５上で画像取得印刷処理の終了が指示されたことを表しており、このとき取得印刷装置ＣＰＵ５５は続くステップＳＰ５８に移って画像取得印刷処理手順ＲＴ６を終了する。
【０１６８】
ところで図１８について上述した２次元コード画像撮像処理ルーチンＳＲＴ６０のステップＳＰ６７において否定結果が得られると、このことは画像提供装置２において、画像取得印刷装置６Ａ乃至６Ｃを使用して写真画像データＤ１の取得を要求した取得者が当該写真画像データＤ１の提供者が指定した正規の取得者とは異なる取得者であると判断されたことを表しており、このとき取得印刷装置ＣＰＵ５５はネットワークインターフェース５８を介して受信した画像取得拒否データＤ９に従って表示部５２において画像取得印刷処理画面６５の情報表示領域６６内に画像取得印刷処理の中止を取得者に通知するメッセージを表示した後、画像取得印刷処理手順ＲＴ６のステップＳＰ５８に移る。
【０１６９】
以上の構成において、画像取得印刷システム１は、写真画像データＤ１の提供者の使用するパーソナルコンピュータ４により画像提供装置２に対して提供対象の写真画像データＤ１の保管管理を委託すると共に、取得者への提供用に選択された写真画像データＤ１を通知して当該取得者への写真画像データＤ１の提供を依頼する（ステップＳＰ１乃至ステップＳＰ６及びステップＳＰ１１乃至ステップＳＰ１３）。
【０１７０】
この際に画像取得印刷システム１は、画像提供装置２によりアドレス用２次元コード画像と、個人認証用２次元コード画像と、取得者への提供用に選択された写真画像データＤ１を特定するための画像特定用２次元コード画像とを生成し、当該生成したアドレス用２次元コード画像、個人認証用２次元コード画像及び画像特定用２次元コード画像を電子メールに添付して写真画像データＤ１の提供先に相当する、取得者の携帯電話機７Ａ乃至７Ｃに配信する（ステップＳＰ１４乃至ステップＳＰ１６及びステップＳＰ３１乃至ステップＳＰ３３）。
【０１７１】
そして画像取得印刷システム１は、写真画像データＤ１の取得を要求する取得者がアドレス用２次元コード画像、個人認証用２次元コード画像及び画像特定用２次元コード画像を取得した携帯電話機７Ａ乃至７Ｃを画像取得印刷装置６Ａ乃至６Ｃの設置された画像印刷店に持ち込み、当該画像取得印刷装置６Ａ乃至６Ｃのカメラ７０のレンズ５１に対して携帯電話機７Ａ乃至７Ｃの表示部４３に表示したアドレス用２次元コード画像及び個人認証用２次元コード画像を順番に提示する。
【０１７２】
これにより画像取得印刷システム１は、画像取得印刷装置６Ａ乃至６Ｃによってアドレス用２次元コード画像及び個人認証用２次元コード画像を撮像して解読し、その結果検出した提供装置アドレス情報に従って画像提供装置２との通信状態を確保すると共に、同様に検出した個人認証用識別情報を個人認証用データＤ６として画像提供装置２に送信し、これを受けて画像提供装置２によって個人認証用識別情報を用いて取得者に対する個人認証処理を実行し、当該取得者が写真画像データＤ１の提供者が指定した正規の取得者であるか否かを判断する（ステップＳＰ４１乃至ステップＳＰ４３、ステップＳＰ５１乃至ステップＳＰ６７、ステップＳＰ２１乃至ステップＳＰ２３）。
【０１７３】
この結果、画像取得印刷システム１は、画像提供装置２によって取得者を個人認証すると、引き続き画像取得印刷装置６Ａ乃至６Ｃによって、カメラ７０のレンズ５１に対して携帯電話機７Ａ乃至７Ｃの表示部４３に表示した画像特定用２次元コード画像を提示させる。
【０１７４】
これにより画像取得印刷システム１は、画像取得印刷装置６Ａ乃至６Ｃによって画像特定用２次元コード画像を撮像して解読し、その結果検出した提供画像特定情報を画像要求データＤ７として画像提供装置２に送信することにより当該画像提供装置２からその提供画像特定情報に従って特定して送信された写真画像データＤ１を提供先（すなわち、取得者の情報端末装置）に代わって受信して取得すると共に、当該取得した写真画像データＤ１に基づく写真画像を写真として印刷して取得者に引き渡す（ステップＳＰ４２及びステップＳＰ４３、ステップＳＰ６８乃至ステップＳＰ５７、ステップＳＰ２４及びステップＳＰ２５）。
【０１７５】
従ってこの画像取得印刷システム１は、写真画像データＤ１の提供者によって指定された当該写真画像データＤ１の取得者が自己の情報端末装置で事前に写真画像データＤ１を取得して当該取得した写真画像データＤ１を画像印刷店で取り扱うことのできる記録媒体に一旦記録し、その記録媒体をわざわざ画像印刷店に持ち込むことなく、普段から携帯している携帯電話機７Ａ乃至７Ｃを普段どおりに携帯したまま画像印刷店に来店することで画像取得印刷装置６Ａ乃至６Ｃによって自分宛ての写真画像データＤ１を容易に取得することができると共に当該写真画像データＤ１に基づく写真画像を容易に印刷して銀塩写真のような画質及び解像度の写真を得ることができる。
【０１７６】
また画像取得印刷システム１は、写真画像データＤ１の提供者によって指定された取得者が画像印刷店に来店したとき、画像取得印刷装置６Ａ乃至６Ｃに対して写真画像データＤ１を取得するために数字や記号等の文字列でなる提供装置アドレス情報、個人認証用識別情報及び提供画像特定情報をキーボード等の多数の操作キーを有する操作部を介して入力させることなく、画像提供装置２からの配信によって写真画像データＤ１の提供先に相当する、取得者の携帯電話機７Ａ乃至７Ｃで事前に取得したアドレス用２次元コード画像、個人認証用２次元コード画像及び画像特定用２次元コード画像を画像取得印刷装置６Ａ乃至６Ｃのカメラ７０のレンズ５１に対して提示させるだけで、当該画像取得印刷装置６Ａ乃至６Ｃによりアドレス用２次元コード画像、個人認証用２次元コード画像及び画像特定用２次元コード画像を撮像して解読し、その結果検出した提供装置アドレス情報、個人認証用識別情報及び提供画像特定情報を用いて自動で写真画像データＤ１を取得することにより、写真画像データＤ１の取得の際に取得者の操作を格段的に簡易化することができる。
【０１７７】
そして画像取得印刷システム１は、写真画像データＤ１の取得に必要となる提供装置アドレス情報や、個人認証用識別情報及び提供画像特定情報をアドレス用２次元コード画像、個人認証用２次元コード画像及び画像特定用２次元コード画像として用いることにより、提供装置アドレス情報や、個人認証用識別情報及び提供画像特定情報が他人に見られて不当に利用されることを防止することができる。
【０１７８】
これに加えて画像取得印刷システム１は、写真画像データＤ１の取得の際に３種類のアドレス用２次元コード画像、個人認証用２次元コード画像及び画像特定用２次元コード画像を共に用いるようにして、いずれか１つのアドレス用２次元コード画像、個人認証用２次元コード画像及び画像特定用２次元コード画像が欠けただけでも写真画像データＤ１を取得し得ないようにしたことにより、写真画像データＤ１の不当な取得を極力防止することもできる。
【０１７９】
さらに画像取得印刷システム１は、画像提供装置２により取得者に配信する画像特定用２次元コード画像を生成する際に、複数の写真画像データＤ１を管理する画像管理用フォルダＳＦＯ１乃至ＳＦＯ３を特定する画像特定用２次元コード画像（すなわち、第１及び第２の上位画像特定用２次元コード画像ＦＳＣ１及びＦＳＣ２）を生成すると共に、当該画像管理用フォルダＳＦＯ１乃至ＳＦＯ３で管理する提供画像個別管理用フォルダＴＦＯ１０乃至ＴＦＯ１３、ＴＦＯ１５乃至ＴＦＯ１８を特定する画像特定用２次元コード画像（すなわち、第１乃至第４の下位共通画像特定用２次元コード画像ＥＳＣ１乃至ＥＳＣ４）を生成し、当該生成した２種類の画像特定用２次元コード画像を組み合せて写真画像データＤ１の提供先に相当する、取得者の携帯電話機７Ａ乃至７Ｃに配信して写真画像データＤ１の取得に使用させることにより、写真画像データＤ１の取得の際に画像管理用フォルダＳＦＯ１乃至ＳＦＯ３で管理する写真画像データＤ１を特定する１種類の画像特定用２次元コード画像を単独で使用させる場合に比べて、２倍の人数の取得者に写真画像データＤ１を取得させることができる。
【０１８０】
以上の構成によれば、画像提供装置２において取得者への提供用に選択された写真画像データＤ１の特定に用いる画像特定用２次元コード画像を生成して当該写真画像データＤ１の提供先に相当する、取得者の携帯電話機７Ａ乃至７Ｃに配信し、取得者が画像印刷店に来店した際に、写真画像データＤ１に基づく写真画像の写真として印刷し得る画像取得印刷装置６Ａ乃至６Ｃにおいて当該取得者の携帯電話機７Ａ乃至７Ｃの表示部４３に表示した画像特定用２次元コード画像をカメラ７０で撮像して解読し、その結果検出した提供画像特定情報を用いて画像提供装置２からその取得者への提供用に選択された写真画像データＤ１を当該写真画像データＤ１の本来の取得先に代わって取得するようにしたことにより、携帯電話機７Ａ乃至７Ｃの表示部４３に表示した画像特定用２次元コード画像を画像取得印刷装置６Ａ乃至６Ｃのカメラ７０のレンズ５１に対して提示するだけで、当該画像取得印刷装置６Ａ乃至６Ｃにより取得者への提供用の写真画像データＤ１を自動で取得することができると共に、当該取得した写真画像データＤ１に基づく写真画像を写真として印刷することができ、かくして画像を写真として容易に利用させ得る画像取得印刷システムを実現することができる。
【０１８１】
なお上述の実施の形態においては、写真画像データＤ１の提供の依頼の際に、複数の写真画像データＤ１を管理する画像管理用フォルダＳＦＯ１乃至ＳＦＯ３の下層に取得者に提供する写真画像データＤ１を直接管理する提供画像個別管理用フォルダＴＦＯ１乃至ＴＦＯ４、ＴＦＯ１０乃至ＴＦＯ１３、ＴＦＯ１５乃至ＴＦＯ１８を作成するようにした場合について述べたが、本発明はこれに限らず、写真画像データＤ１の提供依頼の際に、画像管理用フォルダＳＦＯ１乃至ＳＦＯ３内で取得者への提供用に写真画像データＤ１を切り分けると共に、当該切り分けた写真画像データＤ１にこれを提供する取得者の携帯電話機７Ａ乃至７Ｃに割り当てられているメールアドレスを対応付けることにより、パーソナルコンピュータ４及び画像提供装置２において提供画像個別管理用フォルダＴＦＯ１乃至ＴＦＯ４、ＴＦＯ１０乃至ＴＦＯ１３、ＴＦＯ１５乃至ＴＦＯ１８を作成せずに、替わりに例えば提供者に提供する写真画像データＤ１のファイル名と当該提供者の携帯電話機７Ａ乃至７Ｃに割り当てられているメールアドレスとを対応付けたデータテーブルを作成するようにしても良い。
【０１８２】
このようにすれば、写真画像データＤ１の提供の依頼の際に、提供画像個別管理用フォルダＴＦＯ１乃至ＴＦＯ４、ＴＦＯ１０乃至ＴＦＯ１３、ＴＦＯ１５乃至ＴＦＯ１８の作成操作や、当該提供画像個別管理用フォルダＴＦＯ１乃至ＴＦＯ４、ＴＦＯ１０乃至ＴＦＯ１３、ＴＦＯ１５乃至ＴＦＯ１８への写真画像データＤ１の管理の移管操作等の煩雑な操作を除いて、写真画像データＤ１を取得者への提供用に選択させるだけで良いため、当該写真画像データＤ１の提供を依頼する際のパーソナルコンピュータ４を用いた提供者の操作を簡易化することができる。
【０１８３】
また上述の実施の形態においては、画像特定用２次元コード画像として画像管理用フォルダＳＦＯ１乃至ＳＦＯ３を特定する第１及び第２の上位画像特定用２次元コード画像ＦＳＣ１及びＦＳＣ２を生成すると共に、その画像管理用フォルダＳＦＯ１乃至ＳＦＯ３で管理している提供画像個別管理用フォルダＴＦＯ１乃至ＴＦＯ４、ＴＦＯ１０乃至ＴＦＯ１３、ＴＦＯ１５乃至ＴＦＯ１８を特定する第１乃至第４の下位共通画像特定用２次元コード画像ＥＳＣ１乃至ＥＳＣ４を生成し、当該生成した２種類の第１乃至第２の上位画像特定用２次元コード画像ＦＳＣ１及びＦＳＣ２と、第１乃至第４の下位共通画像特定用２次元コード画像ＥＳＣ１乃至ＥＳＣ４とを組み合せて写真画像データＤ１の提供先に相当する、取得者の携帯電話機７Ａ乃至７Ｃに配信するようにした場合について述べたが、本発明はこれに限らず、画像管理用フォルダよりも上層の複数の画像管理用フォルダを管理するフォルダや当該画像管理用フォルダよりも下層でかつ提供画像個別管理用フォルダよりも上層の複数の提供画像個別管理用フォルダを管理するフォルダ等のように階層的な複数種類のフォルダを生成し、このようにして取得者への提供用に選択された写真画像データＤ１を階層的に管理している画像管理用フォルダ及び提供画像個別管理用フォルダ等の複数種類のフォルダをそれぞれ特定する提供画像特定情報をコード化して複数の画像特定用２次元コード画像を作成し、当該生成した複数種類の画像特定用２次元コード画像を当該写真画像データＤ１の提供先に相当する、取得者の携帯電話機７Ａ乃至７Ｃに配信するようにしても良い。
【０１８４】
このようにすれば、画像特定用２次元コード画像で表現し得る提供画像特定情報を有効に利用して、写真画像データＤ１の取得の際に画像管理用フォルダＳＦＯ１乃至ＳＦＯ３で管理する写真画像データＤ１を特定する１種類の画像特定用２次元コード画像を単独で使用する場合に比べて、写真画像データＤ１を管理する階層的なフォルダの数に応じた多数倍の人数の取得者に写真画像データＤ１を取得させることができる。
【０１８５】
さらに上述の実施の形態においては、画像提供装置２が写真画像データＤ１の提供者による写真画像データＤ１の提供の依頼を受けてアドレス用２次元コード画像、個人認証用２次元コード画像及び画像特定用２次元コード画像を生成し、当該生成したアドレス用２次元コード画像、個人認証用２次元コード画像及び画像特定用２次元コード画像を写真画像データＤ１の提供先に相当する、取得者の携帯電話機７Ａ乃至７Ｃに配信するようにした場合について述べたが、本発明はこれに限らず、画像提供装置２が写真画像データＤ１の提供者によって提供（公開）の許可された写真画像データＤ１やインターネットサービスプロバイダの用意した写真画像データＤ１等を保管し、写真画像データＤ１の取得希望者が使用するパーソナルコンピュータ等から与えられた所望の写真画像データＤ１に対する取得要求に応じてアドレス用２次元コード画像、個人認証用２次元コード画像及び画像特定用２次元コード画像を生成し、当該生成したアドレス用２次元コード画像、個人認証用２次元コード画像及び画像特定用２次元コード画像を写真画像データＤ１の提供先に相当する、取得希望者の携帯電話機７Ａ乃至７Ｃに配信するようにしても良い。
【０１８６】
このようにすれば、提供者から取得者への一方的な写真画像データＤ１の提供だけではなく、写真画像データＤ１の取得希望者に対しても自由に所望の写真画像データＤ１を選択させて取得させることができ、かくして画像取得印刷システム１の汎用性を格段的に向上させることができる。
【０１８７】
さらに上述の実施の形態においては、画像提供装置２により３種類のアドレス用２次元コード画像、個人認証用２次元コード画像及び画像特定用２次元コード画像を例えば短冊状に１列に繋げてスクロール表示可能な状態にし、かつ個々のアドレス用２次元コード画像、個人認証用２次元コード画像及び画像特定用２次元コード画像をそれぞれ見出し等で取得者に識別させ得るようにして電子メールに添付して写真画像データＤ１の提供先に相当する、取得者の携帯電話機７Ａ乃至７Ｃに配信するようにした場合について述べたが、本発明はこれに限らず、画像提供装置２によりアドレス用２次元コード画像、個人認証用２次元コード画像及び画像特定用２次元コード画像が添付されていることを通知し、かつこれらアドレス用２次元コード画像、個人認証用２次元コード画像及び画像特定用２次元コード画像のうち所望の２次元コード画像を選択可能な２次元コード選択画面でなるメール本文を有する画像取得要求用電子メールを生成して写真画像データＤ１の提供先に相当する、取得者の携帯電話機７Ａ乃至７Ｃに配信し、又は画像提供装置２によりアドレス用２次元コード画像、個人認証用２次元コード画像及び画像特定用２次元コード画像をまとめて２次元コード画像データとして写真画像データＤ１の提供先に相当する、取得者の携帯電話機７Ａ乃至７Ｃに配信するようにしても良い。
【０１８８】
またかかるアドレス用２次元コード画像、個人認証用２次元コード画像及び画像特定用２次元コード画像の配信形態としては、アドレス用２次元コード画像、個人認証用２次元コード画像及び画像特定用２次元コード画像を、画像取得印刷装置６Ａ乃至６Ｃの設置された画像印刷店の所在地を明記したメール本文を有する電子メールに添付して写真画像データＤ１の提供先に相当する、取得者の携帯電話機７Ａ乃至７Ｃに配信し、又はアドレス用２次元コード画像、個人認証用２次元コード画像及び画像特定用２次元コード画像をこれらの表示を自動で順番に切り替え得るような状態で電子メールに添付して写真画像データＤ１の提供先に相当する、取得者の携帯電話機７Ａ乃至７Ｃに配信する等のように、この他種々の形態でアドレス用２次元コード画像、個人認証用２次元コード画像及び画像特定用２次元コード画像を写真画像データＤ１の提供先に相当する、取得者の携帯電話機７Ａ乃至７Ｃに配信するようにしても良い。
【０１８９】
さらに上述の実施の形態においては、画像取得印刷装置６Ａ乃至６Ｃにおいて写真画像データＤ１を取得した際に当該写真画像データＤ１に基づく写真画像のうち所望の写真画像を写真として印刷するようにした場合について述べたが、本発明はこれに限らず、画像取得印刷装置６Ａ乃至６Ｃにおいて写真画像データＤ１を取得した際に当該取得した写真画像データＤ１に基づく写真画像を自動で全て写真として印刷するようにしても良く、このようにすれば、取得者に対する印刷用の操作を強いることなく写真画像データＤ１の取得時の操作全体を簡略化することができる。
【０１９０】
さらに上述の実施の形態においては、画像取得印刷装置６Ａ乃至６Ｃに対して取得者が写真画像データＤ１の取得を要求する毎に、当該画像取得印刷装置６Ａ乃至６Ｃをネットワーク３を介して画像提供装置２と通信接続するようにした場合について述べたが、本発明はこれに限らず、画像取得印刷装置６Ａ乃至６Ｃをネットワーク３を介して常時、画像提供装置２と通信接続しておくようにしても良く、このようにすれば画像提供装置２において取得者への配信用にアドレス用２次元コード画像を生成する必要がないことにより、画像提供装置２における２次元コード生成配信処理時の処理負荷を低減し得ると共に、画像取得印刷装置６Ａ乃至６Ｃにおける画像取得印刷処理時の処理負荷も合わせて低減することができる。
【０１９１】
さらに上述の実施の形態においては、パーソナルコンピュータ４によりデジタルカメラ８から取り込んだ写真画像データＤ１を画像提供装置２に提供用として保管するようにした場合について述べたが、本発明はこれに限らず、カメラ付パーソナルコンピュータや、カメラ付携帯電話機、カメラ付ＰＤＡ（Ｐｅｒｓｏｎａｌ  Ｄｉｇｉｔａｌ  Ａｓｓｉｓｔａｎｃｅ  ）によりそれぞれカメラで被写体を撮像することにより得られた写真画像データＤ１を画像提供装置２に提供用として保管するようにしても良い。
【０１９２】
さらに上述の実施の形態においては、パーソナルコンピュータ４においてハードディスクドライブ１８のハードディスクに予め記録した画像提供依頼処理プログラムに従って図４について上述した画像提供依頼処理手順ＲＴ１を実行し、画像提供装置２においてハードディスクドライブ３３のハードディスクに予め記憶した２次元コード生成配信処理プログラム及び画像提供処理プログラムに従って図８及び図１０について上述した２次元コード生成配信処理手順ＲＴ２及び画像提供処理手順ＲＴ３を実行し、携帯電話機７Ａ乃至７Ｃにおいて制御部４０の内部メモリに予め記憶した画像取得要求用メール取得処理プログラム及び２次元コード画像表示処理プログラムに従って図１２及び図１３について上述した画像取得要求用メール取得処理手順ＲＴ４及び２次元コード画像表示処理手順ＲＴ５を実行し、さらに画像取得印刷装置６Ａ乃至６ＣのＲＯＭ５７に予め格納した画像取得印刷処理プログラムに従って図１６及び図１８について上述した画像取得印刷処理手順ＲＴ６を実行するようにした場合について述べたが、本発明はこれに限らず、画像提供依頼処理プログラム、２次元コード生成配信処理プログラム、画像提供処理プログラム、画像取得要求用メール取得処理プログラム、２次元コード画像表示処理プログラム、画像取得印刷処理プログラムをそれぞれローカルエリアネットワークやインターネット、ディジタル衛星放送等の有線及び無線通信媒体を利用してパーソナルコンピュータ４、画像提供装置２、携帯電話機７Ａ乃至７Ｃ、画像取得印刷装置６Ａ乃至６Ｃにインストールすることにより画像提供依頼処理手順ＲＴ１、２次元コード生成配信処理手順ＲＴ２、画像提供処理手順ＲＴ３、画像取得要求用メール取得処理手順ＲＴ４、２次元コード画像表示処理手順ＲＴ５、画像取得印刷処理手順ＲＴ６を実行するようにしても良い。
【０１９３】
また画像提供依頼処理プログラム、２次元コード生成配信処理プログラム、画像提供処理プログラム、画像取得要求用メール取得処理プログラム、２次元コード画像表示処理プログラム、画像取得印刷処理プログラムが格納されたプログラム格納媒体をパーソナルコンピュータ４、画像提供装置２、携帯電話機７Ａ乃至７Ｃ、画像取得印刷装置６Ａ乃至６Ｃにインストールすることにより画像提供依頼処理手順ＲＴ１、２次元コード生成配信処理手順ＲＴ２、画像提供処理手順ＲＴ３、画像取得要求用メール取得処理手順ＲＴ４、２次元コード画像表示処理手順ＲＴ５、画像取得印刷処理手順ＲＴ６を実行するようにしても良い。
【０１９４】
因みに上述した画像提供依頼処理手順ＲＴ１、２次元コード生成配信処理手順ＲＴ２、画像提供処理手順ＲＴ３、画像取得要求用メール取得処理手順ＲＴ４、２次元コード画像表示処理手順ＲＴ５、画像取得印刷処理手順ＲＴ６を実行するための画像提供依頼処理プログラム、２次元コード生成配信処理プログラム、画像提供処理プログラム、画像取得要求用メール取得処理プログラム、２次元コード画像表示処理プログラム、画像取得印刷処理プログラムをパーソナルコンピュータ４、画像提供装置２、携帯電話機７Ａ乃至７Ｃ、画像取得印刷装置６Ａ乃至６Ｃにインストールして実行可能な状態にするためのプログラム格納媒体としては、例えばフレキシブルディスク、ＣＤ−ＲＯＭ（Ｃｏｍｐａｃｔ  Ｄｉｓｃ−Ｒｅａｄ  Ｏｎｌｙ  Ｍｅｍｏｒｙ  ）、ＤＶＤ（Ｄｉｇｉｔａｌ  Ｖｅｒｓａｔｉｌｅ  Ｄｉｓｃ）等のパッケージメディアのみならず、画像提供依頼処理プログラム、２次元コード生成配信処理プログラム、画像提供処理プログラム、画像取得要求用メール取得処理プログラム、２次元コード画像表示処理プログラム、画像取得印刷処理プログラムが一時的もしくは永続的に格納される半導体メモリや磁気ディスク等で実現しても良い。またこれらプログラム格納媒体に画像提供依頼処理プログラム、２次元コード生成配信処理プログラム、画像提供処理プログラム、画像取得要求用メール取得処理プログラム、２次元コード画像表示処理プログラム、画像取得印刷処理プログラムを格納する手段としては、ローカルエリアネットワークやインターネット、ディジタル衛星放送等の有線及び無線通信媒体を利用しても良く、ルータやモデム等の各種通信インターフェースを介して格納するようにしても良い。
【０１９５】
さらに上述の実施の形態においては、本発明による画像データを提供する画像提供装置と、画像データの提供先に相当する携帯端末装置と、提供先に代わって画像データを取得して当該画像データに基づく画像を写真として印刷する画像取得印刷装置とをネットワークを介して接続して構築された画像取得印刷システムを図１乃至図１８について上述した画像提供装置２、画像取得印刷装置６Ａ乃至６Ｃ、携帯端末装置である携帯電話機７Ａ乃至７Ｃによって構築される画像取得印刷システム１に適用するようにした場合について述べたが、本発明はこれに限らず、画像提供装置であるパーソナルコンピュータ、画像取得印刷装置であるパーソナルコンピュータ及びプリンタ、携帯端末装置であるノート型のパーソナルコンピュータやＰＤＡ等をインターネットやイントラネット等を介して接続して構築されるこの他種々の画像取得印刷システムに広く適用することができる。
【０１９６】
さらに上述の実施の形態においては、画像提供装置の提供する画像データとして、図１乃至図１８について上述した写真画像データＤ１を適用するようにした場合について述べたが、本発明はこれに限らず、映像データを構成する静止画像データや、グラフィック画像データ等のように、この他種々の画像データを広く適用することができる。
【０１９７】
さらに上述の実施の形態においては、画像データを記憶するデータ記憶手段として、図１乃至図１８について上述したハードディスクドライブ３３を適用するようにした場合について述べたが、本発明はこれに限らず、光ディスクや光磁気ディスク、半導体メモリ等のように、この他種々のデータ記憶手段を広く適用することができる。
【０１９８】
さらに上述の実施の形態においては、提供先への提供用に選択された画像データを特定する提供画像特定情報をコード化して画像特定用２次元コード画像を生成する２次元コード画像生成手段として、図１乃至図１８について上述した提供装置ＣＰＵ３０を適用するようにした場合について述べたが、本発明はこれに限らず、マイクロプロセッサ等のように、この他種々の２次元コード画像生成手段を広く適用することができる。
【０１９９】
さらに上述の実施の形態においては、取得者に提供する画像データを特定する提供画像特定情報をコード化して生成された画像特定用２次元コード画像として、図１乃至図１８について上述したサイバーコードと呼ばれる２次元コードの画像特定用２次元コード画像を適用するようにした場合について述べたが、本発明はこれに限らず、ＱＲ（Ｑｕｉｃｋ  Ｒｅｓｐｏｎｓｅ）コードと呼ばれる２次元コードの画像特定用２次元コード画像等のように、この他種々の画像特定用２次元コード画像を広く適用することができる。
【０２００】
因みに上述した実施の形態においては、画像管理用フォルダＳＦＯ１乃至ＳＦＯ３を特定する第１及び第２の上位画像特定用２次元コード画像ＦＳＣ１及びＦＳＣ２と、その画像管理用フォルダＳＦＯ１乃至ＳＦＯ３で管理している提供画像個別管理用フォルダＴＦＯ１乃至ＴＦＯ４、ＴＦＯ１０乃至ＴＦＯ１３、ＴＦＯ１５乃至ＴＦＯ１８を特定する第１乃至第４の下位共通画像特定用２次元コード画像ＥＳＣ１乃至ＥＳＣ４とを個別に生成するようにしたが、２次元コードで表現し得る情報量が多ければ、画像管理用フォルダＳＦＯ１乃至ＳＦＯ３を特定し、かつその画像管理用フォルダＳＦＯ１乃至ＳＦＯ３で管理している提供画像個別管理用フォルダＴＦＯ１乃至ＴＦＯ４、ＴＦＯ１０乃至ＴＦＯ１３、ＴＦＯ１５乃至ＴＦＯ１８をも合わせて特定し得る１つの画像特定用２次元コード画像を生成したり、又は提供画像特定情報と、提供装置アドレス情報及び又は個人認証用識別情報とを合わせてコード化した１つの２次元コード画像を生成するようにしても良い。
【０２０１】
さらに上述の実施の形態においては、２次元コード画像生成手段により生成された画像特定用２次元コード画像をネットワークを介して携帯端末装置に送信するコード送信手段として、図１乃至図１８について上述したネットワークインターフェース３４を適用するようにした場合について述べたが、本発明はこれに限らず、画像取得印刷システムの構築に使用するネットワークの種類に応じて、この他種々のコード送信手段を広く適用することができる。
【０２０２】
さらに上述の実施の形態においては、画像取得印刷装置から携帯端末装置に送信した画像特定用２次元コード画像が解読された結果、ネットワークを介して送信された提供画像特定情報を受信する情報受信手段として、図１乃至図１８について上述したネットワークインターフェース３４を適用するようにした場合について述べたが、本発明はこれに限らず、画像取得印刷システムの構築に使用するネットワークの種類に応じて、この他種々の情報受信手段を広く適用することができる。
【０２０３】
さらに上述の実施の形態においては、情報受信手段により受信された提供画像特定情報によって特定される画像データをデータ記憶手段から読み出し、当該読み出した画像データをネットワークを介して画像取得印刷装置に送信するデータ送信手段として、図１乃至図１８について上述したネットワークインターフェース３４を適用するようにした場合について述べたが、本発明はこれに限らず、画像取得印刷システムの構築に使用するネットワークの種類に応じて、この他種々のデータ送信手段を広く適用することができる。
【０２０４】
さらに上述の実施の形態においては、画像提供装置からネットワークを介して送信された画像特定用２次元コード画像を受信するコード受信手段として、図１乃至図１８について上述したアンテナ４７及び送受信処理部４１を適用するようにした場合について述べたが、本発明はこれに限らず、画像取得印刷システムの構築に使用するネットワークの種類に応じて、この他種々のコード受信手段を広く適用することができる。
【０２０５】
さらに上述の実施の形態においては、コード受信手段により受信された画像特定用２次元コード画像を記憶するコード記憶手段として、図１乃至図１８について上述した記憶部４２を適用するようにした場合について述べたが、本発明はこれに限らず、携帯端末装置に着脱可能に設けられた半導体メモリ等のように、この他種々のコード記憶手段を広く適用することができる。
【０２０６】
さらに上述の実施の形態においては、コード記憶手段に記憶された画像特定用２次元コード画像の表示命令を入力するための命令入力手段として、図１乃至図１８について上述した複数の操作キーでなる操作部４４を適用するようにした場合について述べたが、本発明はこれに限らず、表示手段に設けられたタッチパネル等のように、この他種々の命令入力手段を広く適用することができる。
【０２０７】
さらに上述の実施の形態においては、命令入力手段を介して入力された表示命令に応じて、コード記憶手段から画像特定用２次元コード画像を読み出して表示する表示手段として、図１乃至図１８について上述した制御部４０及び表示部４３を適用するようにした場合について述べたが、本発明はこれに限らず、ＣＰＵ及び、携帯端末装置に外付け可能な表示手段等のように、この他種々の表示手段を広く適用することができる。
【０２０８】
さらに上述の実施の形態においては、携帯端末装置の表示手段に表示された画像特定用２次元コード画像を撮像する撮像手段として、図１乃至図１８について上述した内蔵型のカメラ７０を適用するようにした場合について述べたが、本発明はこれに限らず、画像取得印刷装置に外付け可能なカメラ等のように、この他種々の撮像手段を広く適用することができる。
【０２０９】
さらに上述の実施の形態においては、撮像手段により撮像された画像特定用２次元コード画像を解読して提供画像特定情報を検出する情報検出手段として、図１乃至図１８について取得印刷装置ＣＰＵ５５を適用するようにした場合について述べたが、本発明はこれに限らず、マイクロプロセッサや画像処理回路等のように、この他種々の情報検出手段を広く適用することができる。
【０２１０】
さらに上述の実施の形態においては、情報検出手段により検出された提供画像特定情報をネットワークを介して画像提供装置に送信する情報送信手段として、図１乃至図１８について上述したネットワークインターフェース５８を適用するようにした場合について述べたが、本発明はこれに限らず、画像取得印刷システムの構築に使用するネットワークの種類に応じて、この他種々の情報送信手段を広く適用することができる。
【０２１１】
さらに上述の実施の形態においては、画像提供装置に提供画像特定情報を送信した結果、当該画像提供装置からネットワークを介して送信された画像データを受信するデータ受信手段として、図１乃至図１８について上述したネットワークインターフェース５８を適用するようにした場合について述べたが、本発明はこれに限らず、画像取得印刷システムの構築に使用するネットワークの種類に応じて、この他種々のデータ受信手段を広く適用することができる。
【０２１２】
さらに上述の実施の形態においては、データ受信手段により受信された画像データに基づく画像を写真として印刷する印刷手段として、図１乃至図１８について上述した内蔵型のプリンタ７１を適用するようにした場合について述べたが、本発明はこれに限らず、画像取得印刷装置に外付け可能なプリンタ等のように、この他種々の印刷手段を広く適用することができる。
【０２１３】
【発明の効果】
上述のように本発明によれば、画像提供装置において、データ記憶手段に記憶している複数の画像データのうち提供先への提供用に選択された画像データを特定する提供画像特定情報をコード化して画像特定用２次元コード画像を生成し、当該生成した画像特定用２次元コード画像を写真画像データの提供先に相当する携帯端末装置にネットワークを介して送信した後、提供先に代わって画像データを取得して当該画像データに基づく画像を写真として印刷する画像取得印刷装置から携帯端末装置の表示手段に表示された画像特定用２次元コード画像が撮像されて解読された結果、ネットワークを介して送信された提供画像特定情報を受信すると、当該受信した提供画像特定情報によって特定される画像データをデータ記憶手段から読み出してネットワークを介して画像取得印刷装置に送信し、これを受けた画像取得印刷装置においてその画像データを取得するようにしたことにより、画像データに基づく画像を写真として印刷し得る画像取得印刷装置の撮像手段に対して携帯端装置末の表示手段に表示した画像特定用２次元コード画像を提示するだけで、画像提供装置から提供先に代えてその画像取得印刷装置に画像データを取得することができ、当該画像取得印刷装置でその画像データに基づく画像を写真として容易に印刷することができ、かくして画像を写真として容易に利用させ得る画像取得印刷システムを実現することができる。
【図面の簡単な説明】
【図１】本発明による画像取得印刷システムの全体構成の一実施の形態を示す略線図である。
【図２】２次元コードの構成を示す略線図である。
【図３】パーソナルコンピュータの回路構成を示すブロック図である。
【図４】画像提供依頼処理手順を示すフローチャートである。
【図５】取得者に提供する写真画像データの選択の説明に供する略線図である。
【図６】取得者に提供する写真画像データの特定の説明に供する略線図である。
【図７】画像提供装置の回路構成を示すブロック図である。
【図８】２次元コード生成配信処理手順を示すフローチャートである。
【図９】複数の画像管理用フォルダに対する画像特定用２次元コード画像の生成の説明に供する略線図である。
【図１０】画像提供処理手順を示すフローチャートである。
【図１１】携帯電話機の回路構成を示すブロック図である。
【図１２】画像取得要求用メール取得処理手順を示すフローチャートである。
【図１３】２次元コード画像表示処理手順を示すフローチャートである。
【図１４】画像取得印刷装置の正面パネルの構成を示す略線図である。
【図１５】画像取得印刷装置の回路構成を示すブロック図である。
【図１６】画像取得印刷処理手順を示すフローチャートである。
【図１７】画像取得印刷処理画面の構成を示す略線図である。
【図１８】２次元コード画像撮像処理ルーチンを示すフローチャートである。
【符号の説明】
１……画像取得印刷システム、２……画像提供装置、３……ネットワーク、６Ａ乃至６Ｃ……画像取得印刷装置、７Ａ乃至７Ｃ……携帯電話機、３０……提供装置ＣＰＵ、３３……ハードディスクドライブ、３４、５８……ネットワークインターフェース、４０……制御部、４１……送受信処理部、４２……記憶部、４３……表示部、４４……操作部、４７……アンテナ、５５……取得印刷装置ＣＰＵ、７０……カメラ、７１……プリンタ、Ｄ１……写真画像データ、ＳＣ……２次元コード、ＰＨ１乃至ＰＨ４……写真画像、５４……写真、ＡＣ１乃至ＡＣ４、ＡＣ１０乃至ＡＣ１３、ＡＣ１５乃至ＡＣ１８……取得者、ＦＳＣ１、ＦＳＣ２……第１及び第２の上位画像特定用２次元コード画像、ＥＳＣ１乃至ＥＳＣ４……第１乃至第４の下位共通画像特定用２次元コード画像、ＳＦＯ１乃至ＳＦＯ３……画像管理用フォルダ、ＴＦＯ１乃至ＴＦＯ４、ＴＦＯ１０乃至ＴＦＯ１３、ＴＦＯ１５乃至ＴＦＯ１８……提供画像個別管理用フォルダ、ＲＴ２……２次元コード生成配信処理手順、ＲＴ３……画像提供処理手順、ＲＴ４……画像取得要求用メール取得処理手順、ＲＴ５……２次元コード画像表示処理手順、ＲＴ６……画像取得印刷処理手順。
【図１】
2004242164.tif 000003
【図２】
2004242164.tif 000004
【図３】
2004242164.tif 000005
【図４】
2004242164.tif 000006
【図５】
2004242164.tif 000007
【図６】
2004242164.tif 000008
【図７】
2004242164.tif 000009
【図８】
2004242164.tif 000010
【図９】
2004242164.tif 000011
【図１０】
2004242164.tif 000012
【図１１】
2004242164.tif 000013
【図１２】
2004242164.tif 000014
【図１３】
2004242164.tif 000015
【図１４】
2004242164.tif 000016
【図１５】
2004242164.tif 000017
【図１６】
2004242164.tif 000018
【図１７】
2004242164.tif 000019
【図１８】
2004242164.tif 000020